(57)【特許請求の範囲】
【請求項１】
寝台昇降手段を具備した基台部の上端に寝台部を載設し、同寝台部を前記寝台昇降手段によって鉛直方向に昇降自在とした寝台部昇降可動ベッドにおいて、
前記寝台部は、寝台板支持フレームと、同寝台板支持フレーム上に載設した寝台板とにより構成し、
前記寝台板支持フレームは、前記基台部上に載設する昇降フレームと、同昇降フレームの前後端にそれぞれ着脱自在に連結する前端フレームと後端フレームとにより構成し、
前記前端フレーム及び前記後端フレームには、前記昇降フレームと連結するための略矩形状のフレーム係合連結板を突設し、
前記昇降フレームの前後端には、前記フレーム係合連結板と係合することにより前記前端フレーム及び前記後端フレームを連結する第１係合用突起と第２係合用突起をそれぞれ設け、
前記第１係合用突起と前記第２係合用突起とは互いに離隔してそれぞれ設けるとともに、前記第１係合用突起は前記第２係合用突起よりも前記前端フレーム寄り及び前記後端フレーム寄りに設け、かつ、前記第２係合用突起は前記第１係合用突起の斜め上方位置に設け、
前記第１係合用突起を前記フレーム係合連結板の下側部分と係合させるとともに、前記第２係合用突起を前記フレーム係合連結板の上側部分と係合させることにより前記前端フレーム及び前記後端フレームを前記昇降フレームに連結することを特徴とする寝台部昇降可動ベッド。
【請求項２】
前記昇降フレームの前記第１係合用突起と前記第２係合用突起の配設部分には補強板を重着し、前記フレーム係合連結板は前記補強板に重合させて連結するとともに、重合した前記フレーム係合連結板と前記補強板とを貫通するフレーム固定ピンを、前記第１係合用突起と前記第２係合用突起とを結ぶ仮想直線に交差させて設け、
前記第１係合用突起と前記第２係合用突起とに係回した固定支持輪ゴムで前記フレーム固定ピンの脱落を防止することを特徴とする請求項１記載の寝台部昇降可動ベッド。
【発明の詳細な説明】
【０００１】
【発明の属する技術分野】
本発明は、寝台部を昇降自在とした寝台部昇降可動ベッドに関するものである。
【０００２】
【従来の技術】
従来、ベッドの一形態として、寝台部を昇降させる寝台昇降機構を具備することにより、必要に応じて寝台部を昇降させて適宜の高さに調整可能とした寝台部昇降可動ベッドが知られている。
【０００３】
かかる寝台部昇降可動ベッドの寝台昇降機構としては多種多様な形態の寝台昇降機構が提案されており、通常は、適宜の平行リンク機構と、同平行リンク機構を作動させる駆動装置とにより構成している。
【０００４】
このような寝台部昇降可動ベッドは、病院や、老人ホームなどの施設で使用されることが多く、また、永続的に使用することがほとんどであるため、極めて頑丈な設計となっていることが多い。
【０００５】
【発明が解決しようとする課題】
しかしながら、近年、急速に高齢化が進むことにより、所要の介護施設では収容しきれなくなった介護を要する高齢者などを一般家庭内において介護する機会が増大し、介護補助の道具として一般家庭においても寝台部昇降可動ベッドの需要が生じているものの、現状の寝台部昇降可動ベッドは、上記したように病院や老人ホームなどにおいて永続的に使用することを想定しているため、寝台部昇降可動ベッドのサイズが大きすぎたり、あるいは、重量が大きすぎたりし、一般家庭の室内に設置することが困難であったり、あるいは、設置作業が困難であったりすることが多く、一般家庭への普及の障害となっていた。
【０００６】
特に、寝台部の昇降機構において、寝台部を鉛直方向に昇降運動させるためには、昇降機構が複雑かつ大型となりやすいため、大出力の駆動装置や大型の支持枠を必要とすることにより重量が嵩みやすいという問題があった。
【０００７】
一方、安価であって簡潔に昇降機構を構成した場合には、使用する平行リンクの構造上、寝台部が鉛直方向ではなく、鉛直方向と水平方向との移動を合成した斜め方向の昇降となることが多く、寝台部の昇降を邪魔しないようにスペースを確保しておく必要があり、設置場所の確保が困難となるという問題があった。
【０００８】
【課題を解決するための手段】
上記の問題点を解決するために、本発明の寝台部昇降可動ベッドでは、寝台昇降手段を具備した基台部の上端に寝台部を載設し、同寝台部を寝台昇降手段によって鉛直方向に昇降自在とした寝台部昇降可動ベッドにおいて、寝台部は、寝台板支持フレームと、同寝台板支持フレーム上に載設した寝台板とにより構成し、寝台板支持フレームは、基台部上に載設する昇降フレームと、同昇降フレームの前後端にそれぞれ着脱自在に連結する前端フレームと後端フレームとにより構成し、前端フレーム及び後端フレームには、昇降フレームと連結するための略矩形状のフレーム係合連結板を突設し、昇降フレームの前後端には、フレーム係合連結板と係合することにより前端フレーム及び後端フレームを連結する第１係合用突起と第２係合用突起をそれぞれ設け、第１係合用突起と第２係合用突起とは互いに離隔してそれぞれ設けるとともに、第１係合用突起は第２係合用突起よりも前端フレーム寄り及び後端フレーム寄りに設け、かつ、第２係合用突起は第１係合用突起の斜め上方位置に設け、第１係合用突起をフレーム係合連結板の下側部分と係合させるとともに、第２係合用突起をフレーム係合連結板の上側部分と係合させることにより前端フレーム及び後端フレームを昇降フレームに連結することとした。
【０００９】
また、昇降フレームの第１係合用突起と第２係合用突起の配設部分には補強板を重着し、フレーム係合連結板は同補強板に重合させて連結するとともに、重合したフレーム係合連結板と補強板とを貫通するフレーム固定ピンを第１係合用突起と第２係合用突起とを結ぶ仮想直線に交差させて設け、第１係合用突起と第２係合用突起とに係回した固定支持輪ゴムでフレーム固定ピンの脱落を防止することにも特徴を有するものである。
【００１８】
【発明の実施の形態】
本発明の寝台部昇降可動ベッドは、寝台昇降手段を具備した基台部の上端に寝台部を配設し、同寝台部を寝台昇降手段によって昇降自在とした寝台部昇降可動ベッドであって、寝台昇降手段は、寝台部の前方を昇降させる寝台部前方昇降手段と、寝台部の後方を昇降させる寝台部後方昇降手段とにより構成し、同寝台部前後方昇降手段によって寝台部を鉛直方向に昇降自在としているものである。
【００１９】
特に、寝台部前方昇降手段は、基台部に寝台部の左右方向と略平行に架設して駆動手段によって回動駆動する前方回動軸と、同前方回動軸から前方に突設した前方第１連結アームと、同前方第１連結アーム先端部に枢着した前方第２連結アームと、同前方第２連結アームを略起立状態に支持する前方起立支持アームと、略起立状態とした前方第２連結アーム上端に配設して寝台部を支持する寝台前方支持アームとにより構成し、また、寝台部後方昇降手段は、基台部に寝台部の左右方向と略平行に架設して駆動手段によって回動駆動する後方回動軸と、同後方回動軸から後方に突設した後方第１連結アームと、同後方第１連結アーム先端部に枢着した後方第２連結アームと、同後方第２連結アームを略起立状態に支持する後方起立支持アームと、略起立状態とした後方第２連結アーム上端に配設して寝台部を支持する寝台後方支持アームとにより構成し、前方回動軸と後方回動軸とは互いに逆方向に回動駆動させることにより、寝台前方支持アームと寝台後方支持アームとを互いの間隔を一定に保ちながら鉛直方向に昇降させるべく構成している。
【００２０】
すなわち、寝台部前後方昇降手段を簡潔な構成で構築することができ、その結果、軽量化することができるので、一般家庭においての設置が可能であり、また、設置・組立作業を容易に行なうことができる。
【００２１】
そのうえ、寝台前方支持アームと寝台後方支持アームとを互いの間隔を一定に保ちながら鉛直方向に昇降させることにより、寝台部を鉛直方向に昇降させることができるので、寝台部の前後左右において昇降の妨げとならないようにスペースを設ける必要がなく、設置場所の確保を容易とすることができる。
【００２２】
寝台部前方昇降手段と寝台部後方昇降手段とを同期させて可動させるべく前方回動軸と後方回動軸とを連動連結するために、前方回動軸には前方連動連結補助アームを突設し、後方回動軸には後方連動連結補助アームを突設し、前方連動連結補助アームと後方連動連結補助アームとを連動連結用ロッドで連結しており、さらに、連動連結用ロッドには長さ調整手段を設けている。
【００２３】
従って、連動連結用ロッドの長さを調整することにより、前方回動軸及び後方回動軸の回動状態の調整を行なうことができるので、それにともなって寝台前方支持アームと寝台後方支持アームの高さ調整を行なうことができる。従って、寝台前後方支持アームで支持した寝台部を略水平姿勢に調整することができる。
【００２４】
寝台部は、寝台板支持フレームと、同寝台板支持フレーム上に載設する寝台板とにより構成しており、寝台板支持フレームには、寝台前方支持アーム及び寝台後方支持アームを回動自在として係合する支持アーム受け部を固定配設している。
【００２５】
従って、支持アーム受け部を介して寝台板支持フレームに係合させた前方連動連結補助アームと後方連動連結補助アームとの間隔を、寝台板支持フレームによって一定間隔に保持することができ、寝台部前方昇降手段及び寝台部後方昇降手段による昇降操作をスムーズとすることができる。
【００２６】
寝台部を支持する寝台前方支持アーム及び寝台後方支持アームはそれぞれ寝台部の左右方向と略平行に伸延した略円筒体としており、一方、支持アーム受け部には寝台前方支持アーム及び寝台後方支持アームの外周面と摺接する上に凸とした略半円弧形状の湾曲状受け板を設けており、寝台部の昇降にともなって湾曲状受け板内側面に沿って寝台前方支持アーム及び寝台後方支持アームを摺動させながら回動させている。
【００２７】
従って、寝台部前方昇降手段及び寝台部後方昇降手段によってスムーズに寝台部を昇降させることができ、かつ、寝台部を鉛直方向に昇降させることができる。
【００２８】
湾曲状受け板には、どちらか一方の端部に、他方の端部よりも下方側に突出させたガイド片を設けている。従って、寝台部を基台部上に設置する際にガイド片によって、湾曲状受け板に寝台前方支持アーム及び寝台後方支持アームを速やかに案内して寝台部の設置を容易に行なうことができる。
【００２９】
また、支持アーム受け部には、湾曲状受け板と摺接した寝台前方支持アーム及び寝台後方支持アームの下側を係止して、支持アーム受け部からの寝台前方支持アーム及び寝台後方支持アームの脱離を防止する係止手段を設けている。従って、支持アーム受け部と寝台前方支持アーム及び寝台後方支持アームの連結結合を非常に簡単に行なうことができる。しかも、寝台部を基台部上端に確実に連結することができるので、使用時における寝台部の脱離を確実に防止することができる。
【００３０】
寝台板支持フレームは、基台部上に載設する昇降フレームと、同昇降フレームの前後端にそれぞれ着脱自在に連結する前端フレームと後端フレームとにより構成しており、前端フレーム及び後端フレームには、昇降フレームと連結するための略矩形状のフレーム係合連結板を突設している。
【００３１】
そして、昇降フレームの前後端には、フレーム係合連結板と係合することにより前端フレーム及び後端フレームの連結を行なう係合連結手段としての第１係合用突起と第２係合用突起を互いに離隔してそれぞれ設けている。特に、第１係合用突起は第２係合用突起よりも前端フレーム寄り及び後端フレーム寄りに設け、かつ、第２係合用突起は第１係合用突起の斜め上方位置に設けており、フレーム係合連結板を介して前端フレーム及び後端フレームを昇降フレームに連結する際には、第１係合用突起はフレーム係合連結板の下側部分と係合させるとともに、第２係合用突起はフレーム係合連結板の上側部分と係合させている。
【００３２】
従って、前端フレーム及び後端フレームの昇降フレームへの連結をきわめて容易に行なうことができ、組立作業を速やかに行なうことができる。
【００３３】
特に、昇降フレームの第１係合用突起と第２係合用突起の配設部分には補強板を重着し、フレーム係合連結板は同補強板に重合させて連結し、さらに、重合したフレーム係合連結板と補強板とを貫通するフレーム固定ピンを挿着することにより前端フレーム及び後端フレームの昇降フレームへの固定を行なっている。
【００３４】
そのうえ、フレーム固定ピンには、第１係合用突起と第２係合用突起とを用いて配設した固定ピン脱落防止体を当接させるべく構成している。
【００３５】
従って、前端フレーム及び後端フレームをフレーム固定ピンによって昇降フレームに確実に固定することができ、しかも長期間の使用においてもフレーム固定ピンが昇降フレームから脱落するおそれを解消することができる。
【００３６】
寝台板支持フレームの前端には前端板を装着するとともに、寝台板支持フレームの後端には後端板を装着すべく、寝台板支持フレームの前端及び後端には、上部係止ピンと下部係止ピンとを鉛直方向に並べて突設した前端板用連結板及び後端板用連結板をそれぞれ突設している。
【００３７】
そして、前端板には、前端板用連結板の上部係止ピンと係合する上部係合溝と、下部係止ピンに係合する下部係合溝とを形成した端板係合連結板を突設し、また、後端板にも、後端板用連結板の上部係止ピンと係合する上部係合溝と、下部係止ピンと係合する下部係合溝とを形成した端板係合連結板を突設し、端板係合連結板を寝台板支持フレームの前端板用連結板及び後端板用連結板に係合させることにより、前端板及び後端板を寝台板支持フレームの前後端にそれぞれ装着している。
【００３８】
さらに、端板係合連結板には、前端板用連結板または後端板用連結板を貫通する端板固定ピンを進退自在に配設しており、端板係合連結板を介して前端板を寝台板支持フレーム前端に取着した後、端板固定ピンを前端板用連結板に貫通させることにより前端板を寝台板支持フレームに固定するとともに、端板係合連結板を介して後端板を寝台板支持フレーム後端に取着した後、端板固定ピンを後端板用連結板に貫通させることにより後端板を寝台板支持フレームに固定している。
【００３９】
従って、前端板及び後端板の寝台板支持フレームへの装着・固定を極めて容易に行なうことができ、組立作業を速やかに行なうことができる。
【００４０】
しかも、上部係合溝と下部係合溝の伸延方向は、前端板及び後端板の上下方向と略平行方向とし、かつ、下部係合溝は上部係合溝よりも短く形成している。従って、前端板及び後端板を寝台板支持フレームに装着する際に、寝台板支持フレームの前後端板用連結板の上部係止ピンを端板係合連結板の上部係合溝に係合させるだけで、前後端板用連結板の下部係止ピンを端板係合連結板の下部係合溝に係合させることができるので、前端板及び後端板の寝台板支持フレームへの装着作業を速やかに行なうことができる。
【００４１】
【実施例】
以下、図面に基づいて次の順番で本発明の寝台部昇降可動ベッドについての説明を行なう。
１）寝台部昇降可動ベッドの基本構成
１−１）基台部の構成
１−２）昇降駆動部の構成
１−２−１）寝台部前方昇降手段の構成
１−２−２）寝台部後方昇降手段の構成
１−２−３）電動アクチュエータ部分の構成
１−２−４）前方回動軸と後方回動軸との連動連結部分の構成
１−３）寝台板支持フレームの構成
１−３−１）昇降フレームの基本構成
１−３−１−１）昇降フレームと基台部と連結構造
１−３−１−２）昇降フレームと前後端フレームと連結構造
１−３−１−３）昇降フレームへの腰部支持寝台板の配設構造
１−３−１−４）昇降フレームにおける背中支持寝台板及び足支持寝台板の起立機構の構造
１−３−２）前端フレームの構成
１−３−３）後端フレームの構成
１−４）背側寝台板の構成
１−５）足支持寝台板の構成
１−６）前端板及び後端板の構成
１−７）左側縁カバー及び右側縁カバーの構成
２）寝台部昇降可動ベッドの組立方法
２−１）基台部の設置
２−２）基台部への昇降フレームの載設
２−３）昇降フレームへの前後端フレームの連結
２−４）寝台板支持フレームへの背中支持寝台板及び足支持寝台板の載設
２−５）寝台板支持フレームへの前端板及び後端板の装着
２−６）寝台板支持フレームへの左側縁カバー及び右側縁カバーの装着
３）寝台部昇降可動ベッドの昇降機構
【００４２】
１）寝台部昇降可動ベッドの基本構成
図１は、本発明の寝台部昇降可動ベッドＡの平面視による部品図であり、寝台部昇降可動ベッドＡは、昇降駆動部１を配設した基台部２と、同基台部２の上部に取着して昇降する昇降フレーム3aと、同昇降フレーム3aの前端と後端とにそれぞれ取着して寝台板支持フレーム３を構成する前端フレーム3bと後端フレーム3cと、寝台板支持フレーム３における背中支持領域、すなわち、昇降フレーム3aの前端フレーム3b側上面から前端フレーム3b上面にわたる領域に配設する背中支持寝台板４と、寝台板支持フレーム３における足支持領域、すなわち、昇降フレーム3aの後端フレーム3c側上面から後端フレーム3c上面にわたる領域に配設する足支持寝台板５と、前端フレーム3bの前方端部に配設する前端板６と、後端フレーム3cの後方端部に配設する後端板７とから構成し、背中支持寝台板４と足支持寝台板５とにより形成する寝台面にベッド用マットレス（図示せ）を載設して使用すべく構成している。図２は、寝台部昇降可動ベッドＡの組立状態を示した斜視図である。
【００４３】
さらに、昇降フレーム3aと、前端フレーム3bと、後端フレーム3cとにより構成する寝台板支持フレーム３の左側縁には左側縁カバー８を嵌着すべく構成するとともに、寝台板支持フレーム３の右側縁には右側縁カバー９を嵌着すべく構成し、同左右側縁カバー8,9で寝台板支持フレーム３の左右側縁を被覆することによって、過って体の一部を寝台板支持フレーム３に打ち付けても怪我をしないようにしている。以下、各部の構成について順次詳説する。
【００４４】
１−１）基台部２の構成
図３及び図４の寝台部昇降可動ベッドＡの一部切欠側面図、及び、図５の基台部２平面図を用いて基台部２について説明する。基台部２は、昇降駆動部１と、同昇降駆動部１の下方において昇降駆動部１を支持する基台部基体10とにより構成している。
【００４５】
基台部基体10は、前後方向に伸延させた左基台用桟11aと、同左基台用桟11aの右側方に前後方向に伸延させて配設した右基台用桟11bと、同左右基台用桟11a,11b間であって後方寄り位置に架設した中央連結用桟12とにより構成している。
【００４６】
左基台用桟11aの前端には、端部に左前脚体13aを取着した左前連結縦用桟14aを連設するとともに、左基台用桟11aの後端には、端部に左後脚体13bを取着した左後連結縦用桟14bを連設し、また、右基台用桟11bの前端には、端部に右前脚体13cを取着した右前連結縦用桟14cを連設するとともに、右基台用桟11bの後端には、端部に右後脚体13dを取着した右後連結縦用桟14dを連設している。
【００４７】
左基台用桟11a、右基台用桟11b、中央連結用桟12、左前後連結縦用桟14a,14b、右前後連結縦用桟14c,14dはそれぞれステンレス製であって、断面略矩形の中空の筒状体で構成している。
【００４８】
左基台用桟11aと右基台用桟11bとの間隔は、基台部２上に配設する寝台板支持フレーム３の左右方向の幅寸法よりも小さくし、寝台板支持フレーム３の左右側縁下方にそれぞれ十分なスペースを設け、車椅子が寝台部昇降可動ベッドＡの側縁まで接近することができるようにし、寝台部昇降可動ベッドＡから車椅子への移動、逆に車椅子から寝台部昇降可動ベッドＡへの移動を容易としている。
【００４９】
左基台用桟11aの前後端に連設した左前後連結縦用桟14a,14bは、それぞれ左基台用桟11aの外側、すなわち、左基台用桟11aのさらに左方向に屈曲させて連結している。また、右基台用桟11bの前後に連設した右前後連結縦用桟14c,14dも、それぞれ右基台用桟11bの外側、すなわち、右基台用桟11bのさらに右方向に屈曲させて連結している。これにより、左前連結縦用桟14aと右前連結縦用桟14cとは前方に向けて拡開状となっており、また、左後連結縦用桟14bと右後連結縦用桟14dとは後方に向けて拡開状となっている。
【００５０】
すなわち、左右方向に隣り合った左前脚体13aと右前脚体13cの間隔、及び、左右方向に隣り合った左後脚体13bと右後脚体13dの間隔を大きくし、４つの脚体13a,13b,13c,13dによって基台部基体10を安定的に立設すべく構成している。
【００５１】
なお、左前脚体13aと右前脚体13cとの間隔寸法、及び、左後脚体13bと右後脚体13dとの間隔寸法は、寝台板支持フレーム３の幅寸法以下とし、寝台板支持フレーム３の面積を設置面積の略最大として、寝台部昇降可動ベッドＡをコンパクト化すべく構成している。また、左右基台用桟11a,11bの前後端に左前後連結縦用桟14a,14b、右前後連結縦用桟14c,14dを接続するのではなく、左右基台用桟11a,11bの前後端縁をそれぞれ屈曲させて左前後連結縦用桟14a,14b及び右前後連結縦用桟14c,14dとしてもよい。
【００５２】
４つの脚体13a,13b,13c,13dは、図３及び図４に示すように、それぞれ支柱部15と、底板部16とで構成しており、しかも、底板部16上面には連結ネジ17を突設し、同連結ネジ17を介して支柱部15下部に底板部16を螺着している。そして、底板部16を回転させることにより支柱部15に対して底板部16を進退させ、基台部基体10の上面を略水平に調整可能としている。
【００５３】
また、支柱部15は、適宜の延長ユニット（図示せず）を接続することにより長さ調整を可能としており、同延長ユニットを用いて寝台板支持フレーム３の最下位置を所要の高さに調整可能としている。さらに、支柱部15には底板部16ではなくキャスターを取着して、寝台部昇降可動ベッドＡを移動可能としてもよい。
【００５４】
１−２）昇降駆動部１の構成
図３及び図４に示すように、基台部基体10の上部に設けた昇降駆動部１は、寝台部を構成する寝台板支持フレーム３の前方を支持して昇降させる寝台部前方昇降手段と、寝台板支持フレーム３の後方を支持して昇降させる寝台部後方昇降手段とにより構成し、寝台部前方昇降手段と寝台部後方昇降手段とを電動アクチュエータ29によって駆動させることにより、寝台板支持フレーム３を昇降させるべく構成している。
【００５５】
図５に示すように、寝台部前方昇降手段は、基台部基体10の左右基台用桟11a,11b間に回転自在に架設した前方回動軸18aと、同前方回動軸18aから前方に突設した左右前方第１連結アーム19a,20aと、同左右前方第１連結アーム19a,20a先端部と枢着する左右前方第２連結アーム21a,22aを突設した寝台左右前方支持アーム23a,24aとにより構成し、さらに、寝台左前方支持アーム23aに突設した左前方第２連結アーム21a中途部には前方起立支持アーム30a端部を枢着し、左右前方第２連結アーム21a,22aを略起立状態に保持している。
【００５６】
また、寝台部後方昇降手段は、基台部基体10の左右基台用桟11a,11b間に回転自在に架設した後方回動軸18bと、同後方回動軸18bから後方に突設した左右後方第１連結アーム19b,20bと、同左右後方第１連結アーム19b,20b先端部と枢着する左右後方第２連結アーム21b,22bを突設した寝台左右後方支持アーム23b,24bとにより構成し、さらに、寝台右後方支持アーム24bに突設した右後方第２連結アーム22b中途部には後方起立支持アーム30b端部を枢着し、左右後方第２連結アーム21 b,22bを略起立状態に保持している。
【００５７】
さらに、前方回動軸18bには略下方に向けて前方連動連結補助アーム25aを突設し、また、後方回動軸18bには略上方に向けて後方連動連結補助アーム25bを突設し、前方連動連結補助アーム25aの端部と後方連動連結補助アーム25bの端部とを連動連結用ロッド26で連結することにより前方回動軸18aと後方回動軸18bとを連動連結している。
【００５８】
そして、前方回動軸18aには、回動操作アーム27を介して電動アクチュエータ29を連動連結し、電動アクチュエータ29を駆動させてロッド28を進退させることにより前方回動軸18aを回動させるべく構成している。なお、電動アクチュエータ29の本体部は、後端部において基台部２の中央連結用桟12に枢着している。
【００５９】
このように構成することにより、電動アクチュエータ29の駆動にともなって前方回動軸18bと後方回動軸18bとを回動させ、寝台左右前方支持アーム23a,24aと寝台左右後方支持アーム23b,24bとを、互いの間隔を略一定に保持させながら略鉛直方向に昇降させている。以下において、各部の構成について詳説する。
【００６０】
１−２−１）寝台部前方昇降手段の構成
寝台部前方昇降手段の前方回動軸18aは、図５に示すように、左基台用桟11aの前方寄りの位置に上方に突設した左前方支持板31aと、右基台用桟11bの前方寄りの位置に突設した右前方支持板32aとの間に回動自在に架設している。前方回動軸18aは、寝台部昇降可動ベッドＡの左右方向と平行に、かつ、略水平に配設している。
【００６１】
前方回動軸18aには、同前方回動軸18aの左基台用桟11a寄りに前方に向けて左前方第１連結アーム19aを突設し、また、前方回動軸18aの右基台用桟11b寄りに前方に向けて右前方第１連結アーム20aを突設している。特に、左右前方第１連結アーム19a,20aは前方回動軸18aに対して同一方向に突設し、側面視において互いに重なり、かつ、平面視において互いに平行としている。さらに、左右前方第１連結アーム19a,20aは、前方回動軸18aの回動にともなって回動する。
【００６２】
左右前方第１連結アーム19a,20aは断面略矩形の中空のフレームにより構成しており、同左右前方第１連結アーム19a,20a先端の左右側面にはそれぞれ連結板33a,33aを取着している。そして、左右前方第１連結アーム19a,20a先端の連結板33a ,33a間には、寝台左右前方支持アーム23a,24aに突設した左右前方第２連結アーム21a,22aの端部を挿入し、枢軸34aにより枢着している。
【００６３】
寝台左右前方支持アーム23a,24aは、中空円筒状のフレームであって、前方回動軸18aとそれぞれ略平行として左右方向に伸延させている。左右前方第２連結アーム21a,22a及び寝台左右前方支持アーム23a,24aも側面視において互いに重なるべく構成している。
【００６４】
本実施例の場合、寝台左前方支持アーム23aと寝台右前方支持アーム24aとを一本の連続体によって構成せず、二つに分離して別々に設けているのは、寝台左前方支持アーム23aと寝台右前方支持アーム24aとの間に、後述する背中支持寝台板４の起立機構を設けるためであり、場合によっては、寝台左前方支持アーム23aと寝台右前方支持アーム24aとを一本の連続体で構成してもよい。
【００６５】
なお、左前方第２連結アーム21aと右前方第２連結アーム22aの間には、背中支持寝台板４の起立機構を避けた位置において前方補強横杆35aを架設している。
【００６６】
さらに、本実施例の場合、一端を左前方支持板31aに枢着し、他端を左前方第２連結アーム21aの中途部に枢着した前方起立支持アーム30aを設けている。同前方起立支持アーム30aによって左前方第２連結アーム21aを略起立状態に保持し、かつ、同左前方第２連結アーム21aの上端部に位置する寝台左前方支持アーム23aを略鉛直方向のみに略規制しながら移動させるべく構成している。
【００６７】
なお、前方補強横杆35aを介して右前方第２連結アーム22aが左前方第２連結アーム21aと協動することにより、右前方第２連結アーム22a側に前方起立支持アーム30aを設けることなく、右前方第２連結アーム22aを略起立状態とするとともに、右前方第２連結アーム22aの上端部に位置する寝台右前方支持アーム24aを略鉛直方向のみに移動させるべく構成している。従って、部品点数を削減することができ、基台部２を軽量化することができる。
【００６８】
１−２−２）寝台部後方昇降手段の構成
寝台部後方昇降手段の後方回動軸18bは、左基台用桟11aの後方寄りの位置に突設した左後方支持板31bと、右基台用桟11bの後方寄りの位置に突設した右後方支持板32bとの間に回転自在に架設している。特に、後方回動軸18bは、寝台部昇降可動ベッドＡの左右方向と平行に、かつ、略水平に配設しており、前方回動軸18a及び後方回動軸18bは互いに略平行としている。
【００６９】
後方回動軸18bには、後方回動軸18bの左基台用桟11a寄りに後方に向けて左後方第１連結アーム19bを突設し、また、後方回動軸18bの右基台用桟11b寄りに後方に向けて右後方第１連結アーム20bを突設している。特に、左右後方第１連結アーム19b,20bは後方回動軸18bに対して同一方向に突設し、側面視において互いに重なり、かつ、平面視において互いに平行としている。さらに、左右後方第１連結アーム19b,20bは、後方回動軸18bの回動にともなって回動する。
【００７０】
左右後方第１連結アーム19b,20bも断面略矩形の中空のフレームにより構成しており、同左右後方第１連結アーム19b,20b先端の左右側面にはそれぞれ連結板33b,33bを取着している。そして、左右後方第１連結アーム19b,20b,先端の連結板33b,33b間に寝台左右後方支持アーム23b,24bに突設した左右後方第２連結アーム21b,22bの端部を挿入し、枢軸34bを用いて枢着している。
【００７１】
寝台左右後方支持アーム23b,24bも中空円筒状のフレームであって、後方回動軸18bと略平行として左右方向に伸延させている。左右後方第２連結アーム21b,22b及び寝台左右後方支持アーム23b,24bも側面視において互いに重なるべく構成している。
【００７２】
ここでも、寝台左後方支持アーム23bと寝台右後方支持アーム24bとを一本の連続体によって構成せず、二つに分離して別々に設けており、寝台左後方支持アーム23bと寝台右後方支持アーム24bとの間に、後述する足支持寝台板５の起立機構を設けるべく構成している。また、左後方第２連結アーム21bと右後方第２連結アーム22bの間には、足支持寝台板５の起立機構を避けた位置において後方補強横杆35bを架設している。場合によっては、寝台左後方支持アーム23bと寝台右後方支持アーム24bとを一本の連続体で構成してもよい。
【００７３】
さらに、一端を右後方支持板32bに枢着し、他端を右後方第２連結アーム22bの中途部に枢着した後方起立支持アーム30bを設けている。同後方起立支持アーム30bによって右後方第２連結アーム22bを略起立状態に保持し、かつ、同右後方第２連結アーム22bの上端部に位置する寝台右後方支持アーム24bを略鉛直方向のみに移動させるべく構成している。
【００７４】
なお、後方補強横杆3 5bを介して左後方第２連結アーム21bが右後方第２連結アーム22bと協動することにより、左後方第２連結アーム21b側に後方起立支持アーム30bを設けることなく、左後方第２連結アーム21bの端部に位置する寝台左後方支持アーム23bを略鉛直方向のみに移動させることができる。従って、部品点数を削減することができ、基台部２を軽量化することができる。
【００７５】
また、後方起立支持アーム30bを前方起立支持アーム30aと反対側に設けることにより、基台部２の重量バランスを整え、後述するように基台部２を搬送する場合に、搬送を容易としている。
【００７６】
１−２−３）電動アクチュエータ29部分の構成
図３〜５に示すように、前方回動軸18a及び後方回動軸18bを回動駆動させる駆動源となる電動アクチュエータ29は、左右基台用桟11a,11bの略中間に前後方向に伸延させて設けており、特に、電動アクチュエータ29の後端を、枢軸36を介して中央連結用桟12に枢着している。重量のある電動アクチュエータ29を左右基台用桟11a,11bの略中間に位置させることにより、基台部２の重量バランスを整えることができ、基台部２を搬送する場合に搬送作業を容易とすることができる。
【００７７】
さらに、電動アクチュエータ29は、中央連結用桟12と略平行に伸延させた枢軸36を介して中央連結用桟12に枢着し、同枢軸36を回動中心として上下に回動自在としている。
【００７８】
一方、電動アクチュエータ29のロッド28端部は、前方回動軸18aから下方に突設した回動操作アーム27先端と枢着し、電動アクチュエータ29の作動にともなうロッド28の伸縮によって、回動操作アーム27を介して前方回動軸18aを回動させるべく構成している。
【００７９】
本実施例では、回動操作アーム27は、ロッド28先端を挿入可能な間隔を設けて並設した２枚の平板で構成しており、同平板先端間にロッド28先端を挿入し、枢軸37を用いて連結している。
【００８０】
なお、電動アクチュエータ29の作動にともなうロッド28の伸縮にともなって回動操作アーム27が前方回動軸18aを中心として回動する際に、ロッド28と回動操作アーム27との連結部の高さ、すなわち、枢軸37の高さが変動することにともなって、同アクチュエータ29は、中央連結用桟12への枢着に用いている枢軸36を中心として回動する。
【００８１】
１−２−４）前方回動軸18aと後方回動軸18bとの連動連結部分の構成
電動アクチュエータ29によって回動する前方回動軸18aの回動運動を後方回動軸18bに伝達するために、図３〜５に示すように、前方回動軸18aには下方に向けて前方連動連結補助アーム25aを突設するとともに、後方回動軸18bには上方に向けて後方連動連結補助アーム25bを突設し、前方連動連結補助アーム25aの先端と、後方連動連結補助アーム25bとの先端とを連動連結用ロッド26で連結することにより、前方回動軸18aと後方回動軸18bとを連動連結している。
【００８２】
本実施例において、前方連動連結補助アーム25aは、連動連結用ロッド26の先端を挿入可能な間隔を空けて並設した２枚の平板で構成しており、同平板先端間に連動連結用ロッド26先端を挿入し、前方枢軸38aを用いて枢着連結している。
【００８３】
また、後方連動連結補助アーム25bも、連動連結用ロッド26の先端を挿入可能な間隔を空けて並設した２枚の平板で構成しており、同平板先端間に連動連結用ロッド26先端を挿入し、後方枢軸38bを用いて枢着連結している。
【００８４】
さらに、連動連結用ロッド26には長さ調整手段を設けており、連動連結用ロッド26の長さを調整することにより、基台部２上に載設される寝台板支持フレーム３を略水平に調整可能としている。
【００８５】
すなわち、本実施例では、連動連結用ロッド26は、雌ネジ部を設けた前方ロッド体26aと、同前方ロッド体26aの雌ネジ部と螺合する連結用雄ネジ体26cと、同連結用雄ネジ体26cの他端と螺合する雌ネジ部を設けた後方ロッド体26bとにより構成し、前方ロッド体26aと連結用雄ネジ体26cとの螺合の長さ、及び、後方ロッド体26bと連結用雄ネジ体26cとの螺合の長さを調整することにより前後方ロッド体26a,26b間の距離を調整し、連動連結用ロッド26の長さ調整を行なうべく構成している。
【００８６】
連動連結用ロッド26の長さ調整によって前方回動軸18aと後方回動軸18bの回動状態を調整することにより、寝台左右前方支持アーム23a,24aと寝台左右後方支持アーム23b,24bの高さを調整することができ、その結果、寝台板支持フレーム３を略水平に調整するだけでなく、たとえば寝台板支持フレーム３を足下がり気味に調整することもできる。連動連結用ロッド26の長さ調整手段は上記の形態に限定するものではなく、適宜の形態としてよい。
【００８７】
上記したように、前方回動軸18aと後方回動軸18bとを連動連結用ロッド26により連動連結することによって、前方回動軸18aと後方回動軸18bとを互いに逆方向に、かつ、同角度量だけ回動させることができ、寝台左右前方支持アーム23a,24aと寝台左右後方支持アーム23b,24bとの昇降運動を同期させることができる。
【００８８】
左基台用桟11aに突設した左前方支持板31aと、右基台用桟11bに突設した右前方支持板32aとの間には、過回動防止横杆39を架設している。すなわち、電動アクチュエータ29の駆動にともなって前方回動軸18aが回動する際に、所定の回動量を超えて前方回動軸18aが回動した場合、連動連結用ロッド26あるいは回動操作アーム27が過回動防止横杆39に当接することにより前方回動軸18aの過回動を防止し、寝台板支持フレーム３の昇降操作における異常操作を抑止すべく構成している。
【００８９】
１−３）寝台板支持フレーム３の構成
寝台板支持フレーム３は、図１に示すように、基台部２上に載置して同基台部２の昇降駆動部１によって昇降操作される昇降フレーム3aと、同昇降フレーム3aの前端に取着する前端フレーム3bと、昇降フレーム3aの後端に取着する後端フレーム3cとにより構成している。すなわち、大面積となる寝台板支持フレーム３を、昇降フレーム3aと、前端フレーム3bと、後端フレーム3cの３つの部品から構成し、小型化及び軽量化して搬送容易としている。以下において、各部の構成について詳説する。
【００９０】
１−３−１）昇降フレーム3aの基本構成
昇降フレーム3aは、図６において基台部２に載設した状態の平面図として示すように、前後方向に伸延させた左側寝台用桟40aと、同左側寝台用桟40aの右側方に前後方向に伸延させて配設した右側寝台用桟40bと、同左右側寝台用桟40a,40b間の前後方向略中央部に架設した腰部支持寝台板取着用桟41,41と、同腰部支持寝台板取着用桟41,41の上側に取着した腰部支持寝台板42と、腰部支持寝台板取着用桟41よりも前方の左右側寝台用桟40a,40b間に回動自在に架設した背上げ用回動軸43aと、腰部支持寝台板取着用桟41よりも後方の左右側寝台用桟40a,40b間に回動自在に架設した足上げ用回動軸43bとにより構成している。
【００９１】
左側寝台用桟40a及び右側寝台用桟40bはそれぞれステンレス製であって、断面略矩形の中空の筒状体で構成している。同左右側寝台用桟40a,40bの上側面には所定間隔で転落防止柵取着孔44を設け、転落防止柵（図示せず）を装着可能としている。また、左右側寝台用桟40a,40bには、所要の位置に、寝台板支持フレーム３内側方向に向けて受け板45を突設しており、同受け板45によって後述する背中支持寝台板４及び足支持寝台板５を支持すべく構成している。
【００９２】
１−３−１−１）昇降フレーム3aと基台部２との連結構造
図６に示すように、左側寝台用桟40aには、前端側に基台部２の寝台左前方支持アーム23aと係合する左前方支持アーム受け部46aを設けるとともに、後端側に基台部２の寝台左後方支持アーム23bと係合する左後方支持アーム受け部46bを設けている。また、昇降フレーム3aの右側寝台用桟40bには、前端側に基台部２の寝台右前方支持アーム24aと係合する右前方支持アーム受け部47aを設けるとともに、後端側に基台部２の寝台右後方支持アーム24bと係合する右後方支持アーム受け部47bを設けている。
【００９３】
左前後方支持アーム受け部46a,46b及び右前後方支持アーム受け部47a,47bはそれぞれ、図７及び図８に拡大して示すように、左側寝台用桟40a及び右側寝台用桟40bから下方に突設した取着板48と、同取着板48の内側面側に突設した湾曲状受け板49とにより構成している。
【００９４】
取着板48は、左側寝台用桟40a及び右側寝台用桟40bの内側面側に取着しており、そのうえ、取着板48には内側方に張り出させた張出し部48aを設けている。
【００９５】
同張出し部48aは、後述するように取着板48の外側面に取着した係止用第１ロックピン50の端部が、左側寝台用桟40aあるいは右側寝台用桟40bから外方に突出することを防止するために設けており、左側寝台用桟40aあるいは右側寝台用桟40bから係止用第１ロックピン50が突出した場合に、同係止用第１ロックピン50が体に当たったり、衣服に引っかかったりすることを防止している。すなわち、張出し部48aの張出しの寸法は、使用する係止用第１ロックピン50の長さ寸法に基づいて設定している。
【００９６】
また、取着板48下端の先端部48bは外側方に屈曲させてテーパ状としており、寝台左前後方支持アーム23a,23b及び寝台右前後方支持アーム24a,24bを、湾曲状受け板49に案内すべく構成している。
【００９７】
湾曲状受け板49は、取着板48の内側面側に突設した板体であって、上に凸とした略半円弧状に湾曲させている。特に、湾曲状受け板49の内周面は、円筒状とした寝台左前後方支持アーム23a,23b及び寝台右前後方支持アーム24a,24bの外周面と略接するように略円弧状に湾曲させており、寝台左前後方支持アーム23a,23b及び寝台右前後方支持アーム24a,24bが、湾曲状受け板49の内周面に沿って円滑に摺動すべく構成している。
【００９８】
なお、本実施例の場合、寝台左前後方支持アーム23a,23b及び寝台右前後方支持アーム24a,24bの先端にはプラスチック製の円筒状キャップ51を装着し、同円筒状キャップ51を介して各湾曲状受け板49と寝台左前後方支持アーム23a,23b及び寝台右前後方支持アーム24a,24bとを係合させることにより、湾曲状受け板49の内周面に沿って寝台左前後方支持アーム23a,23b及び寝台右前後方支持アーム24a,24bを摺動させやすくしている。
【００９９】
さらに、湾曲状受け板49の前後両端部分は下方に向けて略拡開状としており、しかも、一方の端部には他端部よりも下方に突出させたガイド片49aを延設している。特に、ガイド片49aは、左右前方支持アーム受け部46a,47aでは前方側の端部に設け、左右後方支持アーム受け部46b,47bでは後方側の端部に設けている。
【０１００】
従って、基台部２上部への昇降フレーム3aの載設に際して、ガイド片49aによって寝台左前後方支持アーム23a,23b及び寝台右前後方支持アーム24a,24bを案内することにより、昇降フレーム3aを所定位置に容易に位置させることができ、基台部２上部への昇降フレーム3aの載設作業を容易に行なうことができる。
【０１０１】
取着板48に取着した上記の係止用第１ロックピン50は、左前後方支持アーム受け部46a,46b及び右前後方支持アーム受け部47a,47bとそれぞれ係合した寝台左前後方支持アーム23a,23b及び寝台右前後方支持アーム24a,24bが、左前後方支持アーム受け部46a,46b及び右前後方支持アーム受け部47a,47bから脱離することを防止すべく設けているものであり、左前後方支持アーム受け部46a,46b及び右前後方支持アーム受け部47a,47bと摺接しながら係合した寝台左前後方支持アーム23a,23b及び寝台右前後方支持アーム24a,24bの下方に、取着板48に穿設した係止ピン挿入孔48cから係止用第１ロックピン50の係止ピン50aを突出させて、寝台左前後方支持アーム23a,23b及び寝台右前後方支持アーム24a,24bを係止ピン50aで係止すべく構成している。
【０１０２】
係止用第１ロックピン50は、係止ピン50aと、同係止ピン50aを進退自在に保持するとともに係止ピン50aの回転によってロック状態・非ロック状態の切替を行なう係止ピン保持体50bと、係止ピン50aの端部に取着して係止ピン50aの進退操作及び回転操作を行なう操作ハンドル50cとによって構成しており、操作ハンドル50cによって係止ピン50aを所定角度だけ回転させた後、操作ハンドル50cを係止ピン保持体50bに押し込むことにより、係止ピン50aの先端を取着板48の内側面側に突出させた状態でロックすべく構成している。
【０１０３】
なお、係止用第１ロックピン50は、取着板48の係止ピン挿入孔48cに係止ピン50aの進退通路と連通させて取着した連結体50dに螺着することにより、取着板48への取着を行っている。
【０１０４】
本実施例では、左前後方支持アーム受け部46a,46b及び右前後方支持アーム受け部47a,47bに係合した寝台左前後方支持アーム23a,23b及び寝台右前後方支持アーム24a,24bの係止に係止用第１ロックピン50を用いているが、係止手段としては係止用第１ロックピン50に限定するものではなく、適宜の係止手段を用いてよい。
【０１０５】
１−３−１−２）昇降フレーム3aと前後端フレーム3b,3cとの連結構造
図６に示すように、左右側寝台用桟40a,40bの前端内側面には、それぞれ前端フレーム3bを係合連結するための第１係合用突起52aと第２係合用突起52bとを突設して連結手段としている。また、左右側寝台用桟40a,40bの後端内側面にも、それぞれ後端フレーム3cを係合連結するための第１係合用突起52aと第２係合用突起52bを突設して連結手段としている。
【０１０６】
同第１係合用突起52a部分及び同第２係合用突起52b部分に、前後端フレーム3b,3cに設けた後述するフレーム係合連結板53を係合させることにより、前後端フレーム3b,3cを昇降フレーム3aの前後端にそれぞれ連結している。
【０１０７】
図９に拡大して示すように、第１係合用突起52aと第２係合用突起52bとは互いに所定間隔だけ離隔させており、しかも、第１係合用突起52aは、第２係合用突起52bよりも左右側寝台用桟40a,40bの端部寄り、すなわち、前端フレーム3b寄り及び後端フレーム3c寄りに位置させ、さらに、第２係合用突起52bは、第１係合用突起52aよりも水平方向で上方位置、すなわち、第１係合用突起52aの斜め上方位置に設けている。
【０１０８】
なお、第１係合用突起52a及び第２係合用突起52bを配設した左右側寝台用桟40a,40bの前後端内側面には補強板54を重着しており、軽量化すべくできるだけ薄肉とした左右側寝台用桟40a,40bの内側壁が、第１係合用突起52a及び第２係合用突起52bに作用した荷重によって変形することを防止している。
【０１０９】
第１係合用突起52a及び第２係合用突起52bの先端部には、第１係合用突起52a及び第２係合用突起52bよりも太径とした略円柱状の係止鍔55を取着していており、さらに、同係止鍔55には外周面に係着溝56を刻設し、同係着溝56を利用して第１係合用突起52aと第２係合用突起52bとに後述する固定支持輪ゴム126を係回すべく構成している。
【０１１０】
補強板54には、第１係合用突起52aと第２係合用突起52bとを結ぶ第１仮想直線57aよりも上方となる位置に補強板側第１貫通孔58aを穿設するとともに、第１仮想直線57aよりも下方となる位置に補強板側第２貫通孔58bを穿設しており、補強板側第１貫通孔58aと補強板側第２貫通孔58bとを結ぶ第２仮想直線57bが第１仮想直線57aを横断すべく構成している。このとき、補強板側第１貫通孔58aと補強板側第２貫通孔58bとの中間点が、第１仮想直線57a上に位置すべく構成することが望ましい。
【０１１１】
また、補強板54を重着した左右側寝台用桟40a,40bの先端内側面には、補強板側第１貫通孔58a及び補強板側第２貫通孔58bと連通する連通孔（図示せず）を穿設している。
【０１１２】
１−３−１−３）昇降フレーム3aへの腰部支持寝台板42の配設構造
図６に示すように左右側寝台用桟40a,40b間の前後方向略中央部に架設した腰部支持寝台板取着用桟41はステンレス製であって、断面略円形の中空の筒状体で構成している。特に、腰部支持寝台板取着用桟41は、図４に示すように、両端を屈曲させて傾斜状連結部41aを形成しており、腰部支持寝台板取着用桟41の中央部を上方に突出させて、突出部分上面に腰部支持寝台板42を取着することにより、同腰部支持寝台板42を寝台板支持フレーム３上に形成する寝台面の一部とすべく構成している。
【０１１３】
本実施例では、左右側寝台用桟40a,40b間には２本の腰部支持寝台板取着用桟41,41を架設しており、同腰部支持寝台板取着用桟41,41上に腰部支持寝台板42を取着している。
【０１１４】
腰部支持寝台板42は、本実施例では、細径の針金を格子状に組み合わせて形成した格子状フレームとしており、軽量でありながら、十分な強度を有するべく構成している。なお、腰部支持寝台板42の前方側端縁及び後方側端縁はそれぞれ下方に屈曲させている。
【０１１５】
１−３−１−４）昇降フレーム3aにおける背中支持寝台板４及び足支持寝台板５の起立機構の構造
図６に示すように、左側寝台用桟40aの内側面には、前方寄りの位置に左前側支持板60aを下方に向けて突設するとともに、後方寄りの位置に左後側支持板60bを下方に向けて突設しており、また、右側寝台用桟40bの内側面には、前方寄りの位置に右前側支持板61aを下方に向けて突設するとともに、後方寄りの位置に右後側支持板61bを下方に向けて突設し、左前側支持板60aと右前側支持板61aとの間に背上げ用回動軸43aを回転自在に架設し、左後側支持板60bと右後側支持板61bとの間に足上げ用回動軸43bを回転自在に架設している。
【０１１６】
さらに、背上げ用回動軸43a及び足上げ用回動軸43bを回動駆動させる寝台形状操作駆動部62を、背上げ用回動軸43aと足上げ用回動軸43bとの間に架設している。寝台形状操作駆動部62には、背上げ用回動軸43aを回動させる背上げ操作用モータ63aと、足上げ用回動軸43bを回動させる足上げ操作用モータ63bとを設けるとともに、同背上げ操作用モータ63aと背上げ用回動軸43aとを連動連結する連動連結機構（図示せず）、及び、同足上げ操作用モータ63bと足上げ用回動軸43bとを連動連結する連動連結機構（図示せず）を設けている。
【０１１７】
本実施例の場合、図示していないが、寝台形状操作駆動部62のケーシング64で被覆された背上げ用回動軸43a部分及び足上げ用回動軸43b部分にそれぞれ回動操作アームを突設し、同回動操作アーム先端に、背上げ操作用モータ63a及び足上げ操作用モータ63bの駆動にともなって進退するロッドの先端を枢着し、ロッドを進退させることによって回動操作アームを回動させ、背上げ用回動軸43a及び足上げ用回動軸43bとをそれぞれ回動させるべく構成している。背上げ用回動軸43a及び足上げ用回動軸43bの回動機構はこの形態に限定するものではなく、適宜の回動機構を用いてよい。
【０１１８】
背上げ用回動軸43aには、左側寝台用桟40a寄りに左前方起倒操作アーム65aを突設するとともに、右側寝台用桟40b寄りに右前方起倒操作アーム66aを突設している。特に、同左右前方起倒操作アーム65a,66aは前方に向けて互いに平行として突設している。
【０１１９】
そして、同左右前方起倒操作アーム65a,66aの先端は背中支持寝台板４裏面に当接させ、背上げ用回動軸43aの回動にともなって左右前方起倒操作アーム65a,66aを水平状態から上方に向けて起立させることにより背中支持寝台板４を起立させ、逆に、背上げ用回動軸43aの回動にともなって左右前方起倒操作アーム65 a,66aを斜め上方に向けて起立させた状態から水平状態とすることにより、背中支持寝台板４を傾倒させるべく構成している。これが背中支持寝台板４の起立機構である。
【０１２０】
さらに、左右前方起倒操作アーム65a,66aによる背中支持寝台板４の起倒の機構を簡潔とするために、左右前方起倒操作アーム65a,66aの先端にはそれぞれ当接ローラ67aを回転自在に配設し、同当接ローラ67aを介して背中支持寝台板４を支持している。すなわち、左右前方起倒操作アーム65a,66aの先端を背中支持寝台板４裏面に枢着した場合には、左右前方起倒操作アーム65a,66aの傾斜角度の変動にともなって左右前方起倒操作アーム65a,66aの長さ調整機構が必要となるが、左右前方起倒操作アーム65a,66aの先端に当接ローラ67aを設けることにより、左右前方起倒操作アーム65a,66aの回動にともなって当接ローラ67aが背中支持寝台板４裏面に沿って転動し、背中支持寝台板４裏面との当接位置を変移させることにより、左右前方起倒操作アーム65a,66aの長さ調整機構を不要とすることができる。
【０１２１】
本実施例では、背上げ用回動軸43aに左前方起倒操作アーム65aと右前方起倒操作アーム66aの２本の起倒操作アームを突設しているが、２本に限定するものではなく、１本であってもよいし、３本以上であってもよい。
【０１２２】
足上げ用回動軸43bには、左側寝台用桟40a寄りに左後方起倒操作アーム65bを突設するとともに、右側寝台用桟40b寄りに右後方起倒操作アーム66bを突設している。特に、同左右後方起倒操作アーム65b,66bは後方に向けて互いに平行として突設し、同左右後方起倒操作アーム65b,66bの先端を足支持寝台板５裏面に当接させている。
【０１２３】
なお、足支持寝台板５は、図１２に示すように、大腿支持部5aと、同大腿支持部5aの後端に回動自在に連結した脛支持部5bとにより構成しており、左右後方起倒操作アーム65b,66bの先端は大腿支持部5aの裏面に当接させている。
【０１２４】
そして、足上げ用回動軸43bの回動にともなって左右後方起倒操作アーム65b,66bを水平状態から上方に向けて起立させることにより大腿支持部5aを起立させ、逆に、足上げ用回動軸43bの回動にともなって左右後方起倒操作アーム65b,66bを上方に向けて起立させた状態から水平状態とすることにより、大腿支持部5aを傾倒させるべく構成している。なお、後述するように、大腿支持部5aが起立するにしたがって脛支持部5bが略並行移動しながら上昇し、足支持寝台板５が屈曲状態となることにより、寝台部昇降可動ベッドＡの使用者の膝部分において足を折り曲げながら足部分を持ち上げるべく構成している。これが足支持寝台板５の起立機構である。
【０１２５】
左右後方起倒操作アーム65b,66bの先端にも当接ローラ67bを回転自在に配設し、同当接ローラ67bを介して大腿支持部5aを支持し、左右後方起倒操作アーム65b,66bの回動にともなって当接ローラ67bを大腿支持部5aの裏面に沿って転動させ、当接ローラ67bによる大腿支持部5aの裏面との当接位置を変移させることにより、左右後方起倒操作アーム65b,66bに長さ調整機構を設けることを不要として、左右後方起倒操作アーム65b,66bによる大腿支持部5aの起倒の機構を簡潔としている。
【０１２６】
ここでも、足上げ用回動軸43bに左後方起倒操作アーム65bと右後方起倒操作アーム66bの２本の起倒操作アームを突設しているが、２本に限定するものではなく、１本であってもよいし、３本以上であってもよい。
【０１２７】
１−３−２）前端フレーム3bの構成
図１０に示すように、前端フレーム3bは、前後方向に伸延させた前端左側寝台用桟68と、同前端左側寝台用桟68の右側方に前後方向に伸延させて配設した前端右側寝台用桟69と、前端左右側寝台用桟68,69の前端を連結した前側連結用桟70と、前端左右側寝台用桟68,69の中途部に架設連結した後側連結用桟71とにより構成している。
【０１２８】
前端左右側寝台用桟68,69及び前後側連結用桟70,71はそれぞれステンレス製であって、断面略矩形の中空の筒状体で構成している。前端左右側寝台用桟68,69の上側面には、転落防止柵を取着可能とした転落防止柵取着孔68a,69aを設けている。
【０１２９】
前端左右側寝台用桟68,69の後端内側面には、図９に示すように、昇降フレーム3aへ係着手段としてのフレーム係合連結板53を後方に突出させて取着している。
【０１３０】
フレーム係合連結板53は側面視略矩形状の板体としており、フレーム係合連結板53を介して前端フレーム3bを昇降フレーム3a前端に連結した際に、フレーム係合連結板53が左右側寝台用桟40a,40bの前端内側面に重着した補強板54と重合すべく内側方向にクランク状に屈曲させている。
【０１３１】
これにより、前端フレーム3bを昇降フレーム3aに取着した際に、前端左右側寝台用桟68,69を昇降フレーム3aの左右側寝台用桟40a,40b直前方にそれぞれ位置させることができ、前端左右側寝台用桟68,69と左右側寝台用桟40a,40bとを連続状態とすることができる。
【０１３２】
フレーム係合連結板53には、左右側寝台用桟40a,40bの前端内側面に突設した第１係合用突起52a及び第２係合用突起52bと係合する第１係合用凹部72a及び第２係合用凹部72bを設けている。
【０１３３】
すなわち、第１係合用凹部72aは、突出したフレーム係合連結板53における突出の基端寄りの位置であって、フレーム係合連結板53の下側縁に側面視略Ｕ字状に凹設して形成している。また、第２係合用凹部72bは、突出したフレーム係合連結板53の突出先端近傍の上側縁を側面視略Ｕ字状に凹設して形成している。特に、第１係合用凹部72aには、下方に向かって側面視拡開状とすべくフレーム係合連結板53の突出先端側の側縁を緩やかな傾斜状とした傾斜部73を形成している。
【０１３４】
また、フレーム係合連結板53には、前端フレーム3bを昇降フレーム3aに取着した際に、補強板54に設けた補強板側第１貫通孔58a及び補強板側第２貫通孔58bと連通する係合連結板側第１貫通孔74a及び係合連結板側第２貫通孔74bを穿設している。前端フレーム3bの昇降フレーム3aへの取着作業の方法については後述する。
【０１３５】
前端フレーム3bの前端外側面には、図６に示すように、前端板６を連結する連結手段として、前端板用連結板75,75を前方に突出させて取着している。
【０１３６】
前端板用連結板75の内側面には、図１１に示すように、上部係止ピン75aと、下部係止ピン75bとを鉛直方向に並べて突設しており、同上下部係止ピン75a,75bに前端板６に突設した後述する端板係合連結板76を係合させることにより前端フレーム3bの前端に前端板６を係合連結すべく構成している。
【０１３７】
また、前端板用連結板75の上部係止ピン75aと下部係止ピン75bとの間には、端板係合連結板76に設けた後述する係止用第２ロックピン77の端板固定ピン77aを挿入する端板固定ピン挿入孔75cを穿設している。
【０１３８】
１−３−３）後端フレーム3cの構成
図１０に示すように、後端フレーム3cは、前後方向に伸延させた後端左側寝台用桟78と、同後端左側寝台用桟78の右側方に前後方向に伸延させて配設した後端右側寝台用桟79と、後端左右側寝台用桟78,79の後端を連結した後側連結用桟80と、後端左右側寝台用桟78,79の前端に架設した前側連結用桟81とにより構成している。
【０１３９】
後端左右側寝台用桟78,79及び前後側連結用桟81,80はそれぞれステンレス製であって、断面略矩形の中空の筒状体で構成している。後端左右側寝台用桟78,79の上側面には、転落防止柵を取着可能とした転落防止柵取着孔78a,79aを設けている。
【０１４０】
後端左右側寝台用桟78,79の前端内側面には、前端フレーム3bの前端左右側寝台用桟68,69後端内側面に取着したフレーム係合連結板53と同一のフレーム係合連結板53,53を、昇降フレーム3aへ係着手段として取着している。また、後端フレーム3cの後端外側面には、前端フレーム3bの前端外側面に取着した前端板用連結板75と同一の後端板用連結板83,83を後方に突出させて取着している。フレーム係合連結板53及び後端板用連結板83の構成は、上述したフレーム係合連結板53及び前端板用連結板75の構成と同一であるので、説明は省略する。
【０１４１】
なお、前端フレーム3bと同様に、後端フレーム3cを昇降フレーム3aに取着した際に、後端左右側寝台用桟78,79は昇降フレーム3aの左右側寝台用桟40a,40b直後方にそれぞれ位置させている。従って、前端左側寝台用桟68と、左側寝台用桟40aと、後端左側寝台用桟78とを略直線状に縦列させて寝台板支持フレーム３の左側縁を形成することができ、前端右側寝台用桟69と、右側寝台用桟40bと、後端右側寝台用桟79とを略直線状に縦列させて寝台板支持フレーム３の右側縁を形成することができる。
【０１４２】
図１０中、84は後端左右側寝台用桟78,79の内側面にそれぞれ突設した受け板であり、足支持寝台板５の脛支持部5bを支持すべく構成している。
【０１４３】
１−４）背中支持寝台板４の構成
図１２に示すように、背中支持寝台板４は、前後方向に伸延させた背側寝台板左側桟85aと、同背側寝台板左側桟85aの右側方に前後方向に伸延させて配設した背側寝台板右側桟85bと、背側寝台板左右側桟85a,85bの前端を連結する背側寝台板前端桟85cとにより形成した背側寝台板基体85と、同背側寝台板基体85上面に張設した格子状フレーム86とにより構成している。
【０１４４】
本実施例において、背側寝台板左右側桟85a,85bと背側寝台板前端桟85cとはそれぞれ略円弧状に連続的に連結し、背側寝台板基体85は平面視略コ字状としている。当然ながら、背側寝台板左右側桟85a,85b間の幅寸法は、寝台板支持フレーム３の幅寸法、すなわち、左右側寝台用桟40a,40b間の間隔寸法よりも小さくしている。
【０１４５】
背側寝台板左右側桟85a,85b間には、背側寝台板前端桟85cと略平行として第１連結桟87aと第２連結桟87bとを架設しており、さらに、第１連結桟87aと第２連結桟87bとの間に、上述した左右前方起倒操作アーム65a,66aの先端に取着した当接ローラ67aが当接する当接ローラ受け板88,88を架設している。
【０１４６】
なお、当接ローラ受け板88,88には、図示していないが傾斜面を設けながら背中支持寝台板４の裏面側に突出させた傾斜状突出部を設け、当接ローラ67aが同傾斜状突出部の傾斜面と当接することにより、同傾斜面の傾斜角にともなって左右前方起倒操作アーム65a,66aによる背中支持寝台板４の起倒操作における背中支持寝台板４の回動の回動量を調整可能としている。
【０１４７】
格子状フレーム86は、細径の針金を格子状に組み合わせて形成しており、軽量でありながら、十分な強度を有するべく構成し、背中支持寝台板４上面に載設するマットレスを支持可能としている。
【０１４８】
背側寝台板左側桟85aの後端外側面には左側連結板89aを取着しており、同左側連結板89aの外側面には、左側寝台用桟40aの内側面に突設した背側寝台板左側軸受体90aの軸受孔に挿入する左側連結回動軸91aを突設している。
【０１４９】
また、背側寝台板右側桟85bの後端外側面には右側連結板89bを取着しており、同右側連結板89bの内側面には、右側寝台用桟40bの内側面に突設した背側寝台板右側軸受体90bの軸受孔に挿入する右側連結回動軸91bを進退自在に保持する背側寝台板連結回動軸保持体92を取着している。
【０１５０】
背側寝台板連結回動軸保持体92は、右側連結回動軸91b先端を同背側寝台板連結回動軸保持体92から突出させる方向に付勢しており、右側連結回動軸91bの他端に取着した操作ハンドル92aを内側方向に引張ることにより右側連結回動軸91b先端を背側寝台板連結回動軸保持体92内に後退させ、操作ハンドル92aから手を離すことにより右側連結回動軸91b先端を右側連結板89bの外側面に突出させるべく構成している。
【０１５１】
左側連結回動軸91aを背側寝台板左側軸受体90aの軸受孔に挿入し、次いで、背側寝台板連結回動軸保持体92を操作して右側連結回動軸91bを背側寝台板右側軸受体90bの軸受孔内に挿入することにより、図１３に示すように寝台板支持フレーム３に背中支持寝台板４を取着している。このとき、背中支持寝台板４は、左側連結回動軸91a及び右側連結回動軸91bを中心として寝台板支持フレーム３に対して回動自在となっていることにより、左右前方起倒操作アーム65a,66aによって起倒操作可能としている。
【０１５２】
１−５）足支持寝台板５の構成
図１２に示すように、足支持寝台板５は、大腿支持部5aと、同大腿支持部5aの後方に回動自在に連結した脛支持部5bとにより構成している。
【０１５３】
大腿支持部5aは、前後方向に伸延させた大腿支持部左側桟93aと、同大腿支持部左側桟93aの右側方に前後方向に伸延させて配設した大腿支持部右側桟93bと、大腿支持部左右側桟93a,93bの前端を連結する大腿支持部前端桟93cと、大腿支持部左右側桟93a,93bの後端を連結する大腿支持部後端桟93dとにより形成した大腿支持部基体93と、同大腿支持部基体93上面に張設した格子状フレーム94とにより構成している。
【０１５４】
当然ながら、大腿支持部左右側桟93a,93b間の幅寸法は、寝台板支持フレーム３の幅寸法、すなわち、左右側寝台用桟40a,40b間の間隔寸法よりも小さくしている。
【０１５５】
格子状フレーム94は、細径の針金を格子状に組み合わせて形成しており、軽量でありながら、十分な強度を有するべく構成し、大腿支持部5a上面に載設するマットレスを支持可能としている。
【０１５６】
大腿支持部前後端桟93c,93d間には、上述した左右後方起倒操作アーム65b,66bの先端に取着した当接ローラ67bが当接する当接ローラ受け板95,95を架設している。
【０１５７】
大腿支持部左側桟93aの前端外側面には左側連結板96aを取着しており、同左側連結板96aの外側面には、左側寝台用桟40aの内側面に突設した足支持寝台板左側軸受体97aの軸受孔に挿入する左側連結回動軸98aを突設している。
【０１５８】
また、大腿支持部右側桟93bの前端外側面には右側連結板96bを取着しており、同右側連結板96bの内側面には、上記した背側寝台板連結回動軸保持体92と同一の足支持寝台板連結回動軸保持体99を取着し、足支持寝台板連結回動軸保持体99が進退自在に保持した右側連結回動軸98bの先端を右側連結板96bの外側面に突出させ、右側寝台用桟40bの内側面に突設した足支持寝台板右側軸受体97bの軸受孔に挿入すべく構成している。99aは足支持寝台板連結回動軸保持体99の操作ハンドルであり、同操作ハンドル99aを用いて右側連結回動軸98bの進退操作を行なっている。
【０１５９】
左側連結回動軸98aを足支持寝台板左側軸受体97aの軸受孔に挿入し、次いで、足支持寝台板連結回動軸保持体99を操作して右側連結回動軸98bを足支持寝台板右側軸受体97bの軸受孔内に挿入することにより、図１３に示すように寝台板支持フレーム３に大腿支持部5aを取着している。このとき、大腿支持部5aは、左側連結回動軸98a及び右側連結回動軸98bを中心として寝台板支持フレーム３に対して回動自在となっていることにより、左右後方起倒操作アーム65b,66bによって起倒操作可能としている。
【０１６０】
大腿支持部左右側桟93a,93bの後端には、それぞれ脛支持部連結片100,100を突設しており、後述するように脛支持部左右側桟101a,101bの前端に突設した大腿支持部連結片102,102と重合させ、脛支持部連結片100と大腿支持部連結片102とを連結用枢軸103を用いて枢着することにより、大腿支持部5aと脛支持部5bとを回動自在に連結している。
【０１６１】
脛支持部5bは、前後方向に伸延させた脛支持部左側桟101aと、同脛支持部左側桟101aの右側方に前後方向に伸延させて配設した脛支持部右側桟101bと、脛支持部左右側桟101a,101bの後端を連結する脛支持部後端桟101cと、脛支持部左右側桟101a,101bの後端を連結する脛支持部前端桟101dとにより形成した脛支持部基体101と、同脛支持部基体101上面に張設した格子状フレーム104とにより構成している。
【０１６２】
本実施例において、脛支持部左右側桟101a,101bと脛支持部後端桟101cとはそれぞれ略円弧状に連続的に連結している。なお、脛支持部左右側桟101a,101b間の幅寸法は、大腿支持部左右側桟93a,93b間の幅寸法と略一とし、脛支持部左右側桟101a,101bの前方に大腿支持部左右側桟93a,93bがそれぞれ位置すべく構成している。
【０１６３】
格子状フレーム104は、細径の針金を格子状に組み合わせて形成しており、軽量でありながら、十分な強度を有するべく構成し、脛支持部5b上面に載設するマットレスを支持可能としている。
【０１６４】
脛支持部左右側桟101a,101bの前端には、上述したように大腿支持部連結片102,102を突設しており、連結用枢軸103を介して大腿支持部5aの脛支持部連結片100,100と枢着すべく構成している。
【０１６５】
脛支持部後端桟101cの下側面には、図１３に示すように、寝台板支持フレーム３を構成している後端フレーム3cの前側連結用桟81と連結する脛支持部連結アーム105を枢着する枢着体106を取着している。
【０１６６】
枢着体106は、図１４に示すように、互いに離隔して略平行に配設した第１支持板106aと第２支持板106bと、同第１支持板106aと同第２支持板106bとを左右両側にそれぞれ突設した連結板106cとにより構成しており、第１支持板106a及び第２支持板106bには枢着ピン挿入孔107a,107bを穿設し、第１支持板106aと第２支持板106bとの間に枢着ピン108を架設すべく構成している。
【０１６７】
枢着ピン108は、一端に係止鍔108aを突設しており、他端に割りピン109を装着するための割りピン取着孔108bを設けている。
【０１６８】
脛支持部連結アーム105の端部には枢着ピン108を挿入可能とした枢着ピン挿入孔（図示せず）を穿設しており、第１支持板106aと第２支持板106bとの間に脛支持部連結アーム105の端部を挿入し、第１支持板106a及び第２支持板106bの枢着ピン挿入孔107a,107bと脛支持部連結アーム105の枢着ピン挿入孔とを連通させて枢着ピン108を挿入し、同枢着ピン108の割りピン取着孔108bを用いて割りピン109を装着することにより、脛支持部連結アーム105の後端を脛支持部後端桟101cに枢着している。
【０１６９】
一方、脛支持部連結アーム105の前端を枢着する後端フレーム3cの前側連結用桟81にも脛支持部後端桟101cに設けた枢着体106と同一の枢着体110を配設し、脛支持部連結アーム105の前端を枢着ピン111で同様に枢着すべく構成している。
【０１７０】
脛支持部連結アーム105によって脛支持部5bの脛支持部後端桟101cと後端フレーム3cの前側連結用桟81とを連結することにより、昇降フレーム3aの左右後方起倒操作アーム65b,66bによって大腿支持部5aを起立させた際に、脛支持部5bの前端は大腿支持部5aによって前方に引っ張られながら上昇し、それにともなって脛支持部5bの後端部分は脛支持部連結アーム105に支持されて、脛支持部5bの上面を略水平状態としたまま前方斜め上向きに上昇させることができる。すなわち、脛支持部5bの起倒操作にともなって脛支持部5bを昇降可能としている。従って、大腿支持部5aの起立にともなって、寝台部昇降可動ベッドＡの使用者の膝部分において足を折り曲げながら足部分を持ち上げることができる。
【０１７１】
なお、脛支持部連結アーム105前端の後端フレーム3cへの連結位置を調整するとともに、脛支持部連結アーム105の長さを調整することにより、大腿支持部5aの起立にともなって上昇する脛支持部5bを、たとえば略水平ではなく足先下がりとしながら上昇させることもでき、脛支持部5 bの昇降姿勢を調整可能としてもよい。
【０１７２】
本実施例では、図１２及び図１３に示すように、後端フレーム3cと脛支持部5bとを連結する脛支持部連結アーム105は２本としているが、２本に限定するものではなく、１本であっても３本以上であってもよい。
【０１７３】
脛支持部後端桟101cの略中央部の上側面には、図１２、図１３、及び図３、図４に示すように、マットレス係止アーム112を上方に向けて突設している。すなわち、上述した足支持寝台板５の起立機構を作動させた場合、足支持寝台板５上に載置したマットレスは屈曲しながら持ち上げられるため、マットレスにズレが生じやすく、足支持寝台板５を起立状態から水平状態に戻した際に、マットレス係止アーム112でマットレスの後端を規制することによりマットレスのズレを補正すべく構成している。
【０１７４】
１−６）前端板６及び後端板７の構成
前端板６及び後端板７は、本実施例では木製の平板としており、図１に示すように寝台板支持フレーム３の幅寸法と略同等な幅寸法とし、かつ、寝台板支持フレーム３への取着時に、図２に示すように、寝台板支持フレーム３上面から所定寸法だけ上方に突出する略矩形状としている。
【０１７５】
なお、前端板６及び後端板７の上端縁113は、中央部分を上に突出させた略円弧状としており、上端縁113の両側角部分を鈍角状としている。
【０１７６】
また、前端板６及び後端板７の上方左右側にはそれぞれ左右開口部114a,114bを設け、同左右開口部114a,114bと前後端板6,7の上端縁113との間を把持部115としており、同把持部115を用いることにより前後端板6,7の搬送、及び、前後端板6,7の寝台板支持フレーム３への着脱作業を容易としている。
【０１７７】
なお、左右開口部114a,114bの開口部上側縁は、前後端板6,7の上端縁113と略平行としており、把持部115を全体的に等幅としている。
【０１７８】
前端板６及び後端板７の内側面には、上述したように前端フレーム3bの前端に突設した前端板用連結板75、及び、後端フレーム3cの後端に突設した後端板用連結板83と係合する端板係合連結板76を突設している。
【０１７９】
本実施例では、図１１に示すように、端板係合連結板76は平板状の金属板で構成しており、前端板６及び後端板７の内側面に取着したＬ字状アングル材116に取着することによって前端板６及び後端板７に突設している。図１１中、117はＬ字状アングル材116を前端板６及び後端板７に取着するために用いた木ネジであり、端板係合連結板76は、前端板６及び後端板７の裏面から突出したＬ字状アングル材116の突出片116'に溶接によって取着している。
【０１８０】
さらに、端板係合連結板76は前後端板用連結板75,83の内側面と重合すべく突設しており、端板係合連結板76には、前後端板用連結板75,83の内側面に突設した上部係止ピン75a及び下部係止ピン75bと係合する上部係合溝118a及び下部係合溝118bを設けている。
【０１８１】
上部係合溝118a及び下部係合溝118bは、前端板６及び後端板７の上下方向と略平行方向としており、かつ、上部係合溝118aの下方に下部係合溝118bを位置させている。
【０１８２】
さらに、上部係合溝118aの下端には、上部係合溝118aと略直交する方向に挿入用切欠溝119を連通させ、上部係合溝118aに上部係止ピン75aを挿入する連通路を形成している。
【０１８３】
挿入用切欠溝119の下側縁には、上部係合溝118aの方向に進むにつれて挿入用切欠溝119の溝幅を細幅とすべく傾斜状としたガイド用傾斜部120を形成している。同ガイド用傾斜部120に上部係止ピン75aを当接させながら前端板６を前端フレーム3 b側に押進させ、または、後端板７を後端フレーム3c側に押進させることにより、上部係止ピン75aを容易に挿入用切欠溝119内に挿入して上部係合溝118aと係合させることができる。
【０１８４】
下部係合溝118bの下端は、端板係合連結板76の下側縁121まで伸延させることにより、端板係合連結板76の下側縁121に、下部係止ピン75bを下部係合溝118bに挿入する下部係止ピン挿入口122を形成している。
【０１８５】
さらに、下部係合溝118bは上部係合溝よりも短く形成しており、上記したように、上部係止ピン75aを挿入用切欠溝119内に挿入して上部係合溝118aの下端に位置させた際に、下部係合溝118bの下部係止ピン挿入口122直下方位置に下部係止ピン75bを位置させることができ、その状態で上部係止ピン75aによる規制を受けながら前端板６または後端板７を押下することにより下部係合溝118b内に下部係止ピン75bを挿入して係合させることができる。
【０１８６】
これにより、上部係止ピン75a及び下部係止ピン75bを介して端板係合連結板76を前端板用連結板75及び後端板用連結板83に係合させることができ、前端板６及び後端板７を寝台板支持フレーム３の前端及び後端に容易に装着することができる。
【０１８７】
さらに、端板係合連結板76には、上部係合溝118aと下部係合溝118bとの間の内側面に、係止用第２ロックピン77を取着している。係止用第２ロックピン77は、前端板用連結板75及び後端板用連結板83に設けた端板固定ピン挿入孔75cに挿入する端板固定ピン77aを進退自在に保持しており、端板係合連結板76を前端板用連結板75及び後端板用連結板83に係合させた後、係止用第２ロックピン77を操作して端板固定ピン77aを端板固定ピン挿入孔75cに挿入することにより同端板固定ピン77aを前端板用連結板75及び後端板用連結板83に貫通させた状態とし、前端板６及び後端板７を寝台板支持フレーム３の前端及び後端に固定装着することができる。
【０１８８】
係止用第２ロックピン77は、上記の係止用第１ロックピン50と同一構造のものを用いている。すなわち、係止用第２ロックピン77は、端板固定ピン77aと、同端板固定ピン77aを進退自在に保持するとともに端板固定ピン77aの回転によってロック状態・非ロック状態の切替を行なう係止ピン保持体77bと、端板固定ピン77aの端部に取着して同端板固定ピン77aの進退操作及び回転操作を行なう操作ハンドル77cとによって構成しており、操作ハンドル77cによって端板固定ピン77aを所定角度だけ回転させた後、操作ハンドル77cを係止ピン保持体77b側に押し込むことにより端板固定ピン77aの先端を端板固定ピン挿入孔75cに挿入した状態でロックすべく構成している。
【０１８９】
１−７）左側縁カバー８及び右側縁カバー９の構成
左側縁カバー８及び右側縁カバー９は合成樹脂製であって、寝台板支持フレーム３の左右側縁を被覆すべく構成している。
【０１９０】
すなわち、左側縁カバー８は、寝台板支持フレーム３の左側縁を構成する前端左側寝台用桟68と、左側寝台用桟40aと、後端左側寝台用桟78とを被覆すべく構成しており、右側縁カバー９は、寝台板支持フレーム３の右側縁を構成する前端右側寝台用桟69と、右側寝台用桟40bと、後端右側寝台用桟79とを被覆すべく構成している。
【０１９１】
左側縁カバー８には、前端左側寝台用桟68と、左側寝台用桟40aと、後端左側寝台用桟78にそれぞれ設けた転落防止柵取着孔68a,44,78aと一致する部分に、転落防止柵用貫通孔8aを設けており、また、右側縁カバー９にも、前端右側寝台用桟69と、右側寝台用桟40bと、後端右側寝台用桟79にそれぞれ設けた転落防止柵取着孔69a,44,79aと一致する部分に、転落防止柵用貫通孔9aを設けている。
【０１９２】
より詳細に説明すべく図１５に左側寝台用桟40a部分の断面図として示すように、左側縁カバー８は、中途部分で屈曲させて左側寝台用桟40aの上側面を被覆する上面壁123aと、左側寝台用桟40aの外側面を被覆する側面壁123bとにより構成しており、さらに左側寝台用桟40aの内側面側における上面壁123a先端に内側係止突片123cを下方に向けて突設するとともに、側面壁123b下端に嵌着用突出体123dを左側寝台用桟40a内側方向に向けて突設している。
【０１９３】
そして、内側係止突片123cを左側寝台用桟40aの内側面に係合させ、上面壁123aを左側寝台用桟40aの上側面に当接させるとともに、側面壁123bを左側寝台用桟40aの外側面に当接させながら上面壁123aと嵌着用突出体123dとの間に左側寝台用桟40aを嵌着することにより、寝台板支持フレーム３の左側縁に左側縁カバー８を装着すべく構成している。
【０１９４】
嵌着用突出体123dは、本実施例では中空の角筒状としており、左側縁カバー８を装着した寝台板支持フレーム３の左側縁から左側縁カバー８を脱離させる場合に、角筒状とした嵌着用突出体123dの内側面123eに指を掛けて手前に引張らせることにより、容易に脱離させることができる。
【０１９５】
右側縁カバー９は左側縁カバー８と対称形状として、寝台板支持フレーム３の右側縁に装着可能としている。
【０１９６】
２）寝台部昇降可動ベッドＡの組立方法
寝台部昇降可動ベッドＡを設置する場合には、設置場所に、基台部２、昇降フレーム3a、前端フレーム3b、後端フレーム3c、背中支持寝台板４、足支持寝台板５、前端板６、後端板７、左右側縁カバー8,9を順次搬入しながら組立作業を行なう。
【０１９７】
特に、基台部２や昇降フレーム3aのように重量の大きい構成体を搬入する場合には、図１６に示すように、肩掛けベルト124を用いて搬送作業を行なうことにより一人で搬送作業・組立作業を行なうことができ、作業効率を向上させることができる。
【０１９８】
すなわち、肩掛けベルト124の一端を搬送する構成体、図１６の場合では基台部２の一部に取着し、肩掛けベルト124の他端を基台部２の他の部分に取着して、肩掛けベルトにより構成体を吊下状態として搬送作業を行なうものである。
【０１９９】
搬送作業・組立作業は、以下の手順で行なっている。
【０２００】
２−１）基台部２の設置
まず、基台部２を設置場所まで搬入して設置する。その際、４つの脚体13a,13b,13c,13dにおいて底板部16を適宜回転させ、基台部基体10の上面を略水平に調整する。
【０２０１】
また、搬送時に、搬送形態を小さくすべく前方起立支持アーム30a及び後方起立支持アーム30bを取り外して搬送した場合には、前方起立支持アーム30a及び後方起立支持アーム30bを取着して左右前方第２連結アーム21a,22a及び左右後方第２連結アーム21b,22bを略起立状態としている。
【０２０２】
２−２）基台部２への昇降フレーム3aの載設
次いで、肩掛けベルト124を用いて昇降フレーム3aを設置場所に搬入し、図６に示すように、同昇降フレーム3aを基台部２上に載設する。
【０２０３】
この場合、上記したように、昇降フレーム3aに設けた左右前方支持アーム受け部46a,47a及び左右後方支持アーム受け部46b,47bに、基台部２の寝台左右前方支持アーム23a,24a及び寝台左右後方支持アーム23b,24bをそれぞれ係合させることにより載設を行ない、さらに、左右前方支持アーム受け部46a,47a及び左右後方支持アーム受け部46b,47bに設けたそれぞれの係止用第１ロックピン50で基台部２の寝台左右前方支持アーム23a,24a下端及び寝台左右後方支持アーム23b,24b下端の係止を行ない、昇降フレーム3aが基台部２から脱離することを防止している。
【０２０４】
２−３）昇降フレーム3aへの前後端フレーム3b,3cの連結
次いで、前端フレーム3b及び後端フレーム3cを設置場所に搬入し、図１０に示すように、昇降フレーム3aの前端に前端フレーム3bを連結し、昇降フレーム3aの後端に後端フレーム3cを連結する。
【０２０５】
昇降フレーム3aへの前後端フレーム3b,3cの連結に際しては、上記したように、前端フレーム3bの後端、及び、後端フレーム3cの前端にそれぞれ突設したフレーム係合連結板53を、昇降フレーム3aに突設した第１係合用突起52aと第２係合用突起52bとにそれぞれ係合させて連結する。
【０２０６】
フレーム係合連結板53を第１係合用突起52aと第２係合用突起52bに係合させる際には、図１７（ａ）に示すように、まず、第１係合用突起52aと第２係合用突起52bとの間にフレーム係合連結板53を挿入し、第２係合用突起52bにフレーム係合連結板53の第２係合用凹部72bを係合させる。
【０２０７】
次いで、図１７（ｂ）に示すように、第２係合用突起52bを回転中心として前端フレーム3bまたは後端フレーム3cを反時計回りに回転させることにより、第１係合用凹部72aと第１係合用突起52aとを係合させる。ここで、第１係合用凹部72aには傾斜部73を設けていることにより、第１係合用凹部72aをスムーズに第１係合用突起52aに係合させることができる。これにより、フレーム係合連結板53を介した前端フレーム3b及び後端フレーム3cの昇降フレーム3aへの係合連結を行なうことができる。
【０２０８】
さらに、フレーム係合連結板53による係合連結後、連結状態を保持させるべく、補強板54に設けた補強板側第１貫通孔58aと連通した係合連結板側第１貫通孔74a、同じく補強板54に設けた補強板側第２貫通孔58bと連通した係合連結板側第２貫通孔74bにフレーム固定ピン125を挿入することにより、重合状態のフレーム係合連結板53と補強板54とにフレーム固定ピン125を貫通させて一体化し、連結状態を強固に固定している。
【０２０９】
本実施例では、フレーム固定ピン125は、係合連結板側第１貫通孔74aに挿入する第１フレーム固定ピン125aと、係合連結板側第２貫通孔74bに挿入する第２フレーム固定ピン125bと、第１フレーム固定ピン125aと第２フレーム固定ピン125bの後端部を連結した連結アーム部125cからなる略コ字状としている。従って、連結アーム部125cは、上記した第１仮想直線57aと交差する。
【０２１０】
さらに、フレーム固定ピン125の挿着後、図１８に示すように、第１係合用突起52aの先端部に取着した係止鍔55の係着溝56と、第２係合用突起52bの先端部に取着した係止鍔55の係着溝56とに固定支持輪ゴム126を係回することにより、フレーム固定ピン125の連結アーム部125c部分に固定支持輪ゴム126を当接させ、フレーム固定ピン125が脱落することを防止している。すなわち、固定支持輪ゴム126が固定ピン脱落防止体である。
【０２１１】
フレーム固定ピン125の連結アーム部125c部分に固定支持輪ゴム126を当接させておくことにより、寝台部昇降可動ベッドＡの使用時に発生する振動によってフレーム固定ピン125が勝手に外れることを防止でき、長期間安全に使用することができる。
【０２１２】
図９及び図１７中、125dは、係合連結板側第１貫通孔74a及び係合連結板側第２貫通孔74bに挿入したフレーム固定ピン125を取り外す際に使用する引張り用補助リングである。
【０２１３】
このようにして、昇降フレーム3aの前後端に前端フレーム3b及び後端フレーム3cをそれぞれ連結し、寝台板支持フレーム３を形成する。
【０２１４】
２−４）寝台板支持フレーム３への背中支持寝台板４及び足支持寝台板５の載設
次いで、背中支持寝台板４を設置場所に搬入し、寝台板支持フレーム３上に載設する。
【０２１５】
すなわち、図１３に示すように、左側寝台用桟40aの内側面に設けた背側寝台板左側軸受体90aの軸受孔に、背中支持寝台板４に設けた左側連結回動軸91aを挿入し、次いで、右側寝台用桟40bの内側面に設けた背側寝台板右側軸受体90bの軸受孔内に、背中支持寝台板４に設けた背側寝台板連結回動軸保持体92の右側連結回動軸91bを挿入することにより、寝台板支持フレーム３に背中支持寝台板４を回動自在に装着する。
【０２１６】
次いで、足支持寝台板５を設置場所に搬入し、寝台板支持フレーム３上に載設する。
【０２１７】
すなわち、図１３に示すように、左側寝台用桟40aの内側面に突設した足支持寝台板左側軸受体97aの軸受孔に、足支持寝台板５の大腿支持部5aに設けた左側連結回動軸98aを挿入し、次いで、右側寝台用桟40bの内側面に設けた足支持寝台板右側軸受体97bの軸受孔に、足支持寝台板５の大腿支持部5aに設けた足支持寝台板連結回動軸保持体99の右側連結回動軸98bを挿入することにより、寝台板支持フレーム３に足支持寝台板５の大腿支持部5aを回動自在に装着する。
【０２１８】
さらに、枢着ピン108を介して足支持寝台板５の脛支持部5b後端に枢着した脛支持部連結アーム105の前端を、枢着ピン111を介して寝台板支持フレーム３の後端フレーム3cに枢着する。
【０２１９】
なお、背中支持寝台板４と足支持寝台板５は、どちらを先に寝台板支持フレーム３上に載設してもよい。
【０２２０】
２−５）寝台板支持フレーム３への前端板６及び後端板７の装着
次いで、前端板６及び後端板７を設置場所に搬入し、寝台板支持フレーム３に装着する。
【０２２１】
すなわち、図１１に示すように、寝台板支持フレーム３の前端に突設した前端板用連結板75の上部係止ピン75aと下部係止ピン75bとに、前端板６裏面に突設した端板係合連結板76に設けた上部係合溝118aと下部係合溝118bとをそれぞれ係合させて連結し、さらに、前端板用連結板75に設けた端板固定ピン挿入孔75cに、端板係合連結板76に設けた係止用第２ロックピン77の端板固定ピン77aを挿入して、寝台板支持フレーム３の前端に前端板６を固定装着する。
【０２２２】
また、寝台板支持フレーム３の後端に突設した後端板用連結板83の上部係止ピン75aと下部係止ピン75bとに、後端板７裏面に突設した端板係合連結板76に設けた上部係合溝118aと下部係合溝118bとをそれぞれ係合させて連結し、さらに、後端板用連結板83に設けた端板固定ピン挿入孔に、端板係合連結板76に設けた係止用第２ロックピン77の端板固定ピン77aを挿入して、寝台板支持フレーム３の後端に後端板７を固定装着する。
【０２２３】
２−６）寝台板支持フレーム３への左側縁カバー８及び右側縁カバー９の装着最後に、左側縁カバー８及び右側縁カバー９を設置場所に搬入し、寝台板支持フレーム３に装着する。
【０２２４】
すなわち、寝台板支持フレーム３の左側縁を構成する前端左側寝台用桟68、左側寝台用桟40a、後端左側寝台用桟78の内側面に左側縁カバー８の内側係止突片123cを係合させて、左側縁カバー８の上面壁123aと嵌着用突出体123dとの間に前端左側寝台用桟68、左側寝台用桟40a、後端左側寝台用桟78の外側面側を嵌入させて装着する。
【０２２５】
同様に、寝台板支持フレーム３の右側縁を構成する前端右側寝台用桟69、右側寝台用桟40b、後端右側寝台用桟79の内側面に右側縁カバー９の内側係止突片123cを係合させて、右側縁カバー９の上面壁123aと嵌着用突出体123dとの間に前端右側寝台用桟69、右側寝台用桟40b、後端右側寝台用桟79の外側面側を嵌入させて装着する。
【０２２６】
なお、寝台板支持フレーム３への前端板６及び後端板７の装着、及び、左側縁カバー８及び右側縁カバー９の装着は、どちらを先に行なってもよい。
【０２２７】
このようにして、寝台部昇降可動ベッドＡを組立てることができる。組立後、基台部２の電動アクチュエータ29と、昇降フレーム3aの背上げ操作用モータ63a及び足上げ操作用モータ63bとを図示していないコントローラと電気的に接続し、同コントローラによる操作によって、寝台部昇降可動ベッドＡの寝台部を昇降操作したり、背上げ操作したり、足上げ操作したりする。
【０２２８】
上記のように、寝台部昇降可動ベッドＡを基台部２、昇降フレーム3a、前端フレーム3b、後端フレーム3c、背中支持寝台板４、足支持寝台板５、前端板６、後端板７、左右側縁カバー8,9のユニットで構成し、これらを上記の手順で組立てて寝台部昇降可動ベッドＡとすることにより、組立作業者一人で３分程度で組立てることができ、非常に短時間で組立作業を完了することができる。
【０２２９】
３）寝台部昇降可動ベッドＡの昇降機構
上記したように、本実施例の寝台部昇降可動ベッドＡでは、寝台部を構成する寝台板支持フレーム３を昇降させる昇降手段を、寝台板支持フレーム３の前方を昇降させる寝台部前方昇降手段と、寝台部の後方を昇降させる寝台部後方昇降手段とにより構成している。
【０２３０】
すなわち、図３及び図４に示すように、寝台部前方昇降手段は、基台部２に寝台板支持フレーム３の左右方向と略平行に架設して電動アクチュエータ29によって回動駆動する前方回動軸18aと、同前方回動軸18aから前方に突設した左右前方第１連結アーム19a,20aと、同左右前方第１連結アーム19a,20a先端部に枢着した左右前方第２連結アーム21a,22aと、同左前方第２連結アーム21aを略起立状態に支持する前方起立支持アーム30aと、略起立状態とした左右前方第２連結アーム21a,22a上端に配設して寝台板支持フレーム３前方部分を支持する寝台左右前方支持アーム23a,24aとにより構成している。
【０２３１】
また、寝台部後方昇降手段は、基台部２に寝台板支持フレーム３の左右方向と略平行に架設して電動アクチュエータ29によって回動駆動する後方回動軸18bと、同後方回動軸18bから後方に突設した左右後方第１連結アーム19b,20bと、同左右後方第１連結アーム19b,20b先端部に枢着した左右後方第２連結アーム21b,22bと、同左右後方第２連結アーム21b,22bを略起立状態に支持する後方起立支持アーム30bと、略起立状態とした左右後方第２連結アーム21b,22b上端に配設して寝台板支持フレーム３後方部分を支持する寝台左右後方支持アーム23b,24bとにより構成している。
【０２３２】
すなわち、寝台部前方昇降手段及び寝台部後方昇降手段は、側面視における寝台板支持フレーム３の中央部分に鉛直方向の鏡面対称線を想定して、左右対称に構成しているので、寝台部前方昇降手段の前方回動軸18aと、寝台部後方昇降手段の後方回動軸18bとを互いに逆方向に回動駆動させることにより、寝台左右前方支持アーム23a,24aと寝台左右後方支持アーム23b,24bとを互いの間隔を一定に保ちながら鉛直方向に昇降させることができ、寝台板支持フレーム３を鉛直方向に昇降させることができる。
【０２３３】
従って、従来のように寝台板支持フレーム３が昇降にともなって前後方向に移動することがなく、寝台板支持フレーム３、すなわち、寝台部部分を鉛直方向に昇降可能とすることができる。これにより、本実施例の寝台部昇降可動ベッドＡを一般家庭の室内に設置する場合に、壁との間に余分な隙間を設けることなく、壁に沿わせて設置することができるので、あまり広くはない部屋でも圧迫感を与えることなく設置することができ、かつ、部屋をより広く使用することができる。
【０２３４】
なお、本実施例では、前方起立支持アーム30a及び後方起立支持アーム30bは、軽量化を目的として前後に１本ずつ配設しており、かつ、前方起立支持アーム30a及び後方起立支持アーム30bは、中途部で屈曲させた略ヘ字状としている。
【０２３５】
すなわち、寝台部前方昇降手段の前方回動軸18a、及び、寝台部後方昇降手段の後方回動軸18bの回動にともなう寝台左右前方支持アーム23a,24a及び寝台左右後方支持アーム23b,24bの昇降を略鉛直方向に規制すべく屈曲させているものであり、前方起立支持アーム30aの一端を上記の左前方支持板31aに枢着し、他端を左前方第２連結アーム21aの中途部に枢着する場合、及び、後方起立支持アーム30bの一端を上記の右後方支持板32bに枢着し、他端を右後方第２連結アーム22bの中途部に枢着する場合には、本実施例のように中途部で屈曲させる必要があるが、前方起立支持アーム30a及び後方起立支持アーム30bの取着位置によっては屈曲させる必要がない場合や、本実施例とは逆方向に屈曲させる場合もある。
【０２３６】
前方起立支持アーム30a及び後方起立支持アーム30bは、左右前方第２連結アーム21a,22a及び左右後方第２連結アーム21 b,22bを略起立状態に保持して、寝台部前方昇降手段の前方回動軸18a、及び、寝台部後方昇降手段の後方回動軸18bの回動にともなう寝台左右前方支持アーム23a,24a及び寝台左右後方支持アーム23b,24bの昇降を略鉛直方向に規制することができるのであれば、どのように配設してもよい。
【０２３７】
寝台部前方昇降手段の前方回動軸18aと、寝台部後方昇降手段の後方回動軸18bとを互いに逆方向に回動駆動させる構成としては、様々な構成が考えられる。たとえば、前方回動軸18aと後方回動軸18bのそれぞれに電動アクチュエータ29を連結して、同電動アクチュエータ29同士を同期させて駆動させたり、複数のギヤを用いて前方回動軸18aと後方回動軸18bとを連動連結し、前方回動軸18aと後方回動軸18bのいずれか一方を電動アクチュエータ29等の駆動装置により回動駆動させたりすることもできる。
【０２３８】
しかし、本実施例では、前方回動軸18aに前方連動連結補助アーム25aを突設し、後方回動軸18bに後方連動連結補助アーム25bを突設し、前方連動連結補助アーム25aと後方連動連結補助アーム25bとを連動連結用ロッド26で連結することにより前方回動軸18 aと後方回動軸18bとを連動連結し、さらに、前方回動軸18aを電動アクチュエータ29により回動駆動させている。
【０２３９】
従って、前方回動軸18aと後方回動軸18bとの連動連結構造を軽量とすることができるので、基台部２の軽量化をはかることができる。
【０２４０】
特に、前方連動連結補助アーム25aは下方に向けて前方回動軸18aに突設し、後方連動連結補助アーム25bは上方に向けて後方回動軸18bに突設し、前方連動連結補助アーム25aの端部と後方連動連結補助アーム25bの端部とに連動連結用ロッド26の端部をそれぞれ枢着することにより、電動アクチュエータ29による前方回動軸18aの回動にともなって、前方回動軸18aと後方回動軸18bとを互いに逆方向に回動駆動させることができる。
【０２４１】
なお、前方回動軸18aに対する前方連動連結補助アーム25aの突出方向、及び、後方回動軸18bに対する後方連動連結補助アーム25bの突出方向は、前方連動連結補助アーム25aの長さ、後方連動連結補助アーム25bの長さ、及び、連動連結用ロッド26の長さによって異なるので、それらを勘案して適宜の方向とすればよい。
【０２４２】
さらに、連動連結用ロッド26は、上記したように前方ロッド体26aと、同前方ロッド体26aの雌ネジ部と螺合する連結用雄ネジ体26cと、同連結用雄ネジ体26cの他端と螺号する雌ネジ部を設けた後方ロッド体26bとにより構成し、連動連結用ロッド26の長さを調整可能としている。
【０２４３】
従って、連動連結用ロッドの長さ調整を行なうことにより基台部２上に配設した寝台板支持フレーム３を容易に略水平姿勢に調整することができ、また、場合によっては寝台板支持フレーム３を足下げ状態に傾斜させることもできる。
【０２４４】
【発明の効果】
請求項１記載の発明によれば、寝台昇降手段を具備した基台部の上端に寝台部を載設し、同寝台部を寝台昇降手段によって鉛直方向に昇降自在とした寝台部昇降可動ベッドにおいて、寝台部は、寝台板支持フレームと、同寝台板支持フレーム上に載設した寝台板とにより構成し、寝台板支持フレームは、基台部上に載設する昇降フレームと、同昇降フレームの前後端にそれぞれ着脱自在に連結する前端フレームと後端フレームとにより構成し、前端フレーム及び後端フレームには、昇降フレームと連結するための略矩形状のフレーム係合連結板を突設し、昇降フレームの前後端には、フレーム係合連結板と係合することにより前端フレーム及び後端フレームを連結する第１係合用突起と第２係合用突起をそれぞれ設け、第１係合用突起と第２係合用突起とは互いに離隔してそれぞれ設けるとともに、第１係合用突起は第２係合用突起よりも前端フレーム寄り及び後端フレーム寄りに設け、かつ、第２係合用突起は第１係合用突起の斜め上方位置に設け、第１係合用突起をフレーム係合連結板の下側部分と係合させるとともに、第２係合用突起をフレーム係合連結板の上側部分と係合させることにより前端フレーム及び後端フレームを昇降フレームに連結することとしたことによって、前端フレーム及び後端フレームの昇降フレームへの連結作業を極めて容易に行なうことができるので、組立作業の作業性を向上させることができる。
【０２４５】
これにより、寝台部昇降可動ベッドを設置する際に、従来のように寝台部の昇降を阻害しないように余分なスペースを設ける必要がなく、一般家庭における狭い室内でも寝台部昇降可動ベッドを設置可能とすることができ、かつ、寝台部昇降可動ベッドが不必要に室内空間を占有することを防止できる。
【０２４６】
さらに、寝台昇降手段を軽量な構成とすることができるので、寝台部昇降可動ベッドの搬送作業及び組立作業を容易に行なうことができる。
【０２５４】
請求項２記載の発明によれば、昇降フレームの第１係合用突起と第２係合用突起の配設部分には補強板を重着し、フレーム係合連結板は同補強板に重合させて連結するとともに、重合したフレーム係合連結板と補強板とを貫通するフレーム固定ピンを第１係合用突起と第２係合用突起とを結ぶ仮想直線に交差させて設け、第１係合用突起と第２係合用突起とに係回した固定支持輪ゴムでフレーム固定ピンの脱落を防止することによって、寝台部昇降可動ベッドの使用時にフレーム固定ピンが脱落することを防止できるので、分割可能となっている寝台部の寝台板支持フレームから前端フレーム部分あるいは後端フレーム部分が過って外れることを防止できる。
【図面の簡単な説明】
【図１】本発明に係る寝台部昇降可動ベッドの平面視による部品図である。
【図２】本発明に係る寝台部昇降可動ベッドの組立状態斜視図である。
【図３】本発明に係る寝台部昇降可動ベッドの寝台部降下状態の一部切欠側面図である。
【図４】本発明に係る寝台部昇降可動ベッドの寝台部上昇状態の一部切欠側面図である。
【図５】基台部の構成を説明する平面図である。
【図６】基台部に載設した状態の昇降フレームの構成を説明する平面図である。
【図７】昇降フレームの支持アーム受け部と、基台部の寝台前後方支持アームとの連結形態を説明する説明図である。
【図８】昇降フレームの支持アーム受け部と、基台部の寝台前後方支持アームとの連結形態を説明する説明図である。
【図９】フレーム係合連結板を介して連結する前端フレームと昇降フレームとの連結構造の説明図である。
【図１０】基台部に載設した状態の昇降フレームの前端に前端フレームを連結するとともに、昇降フレームの後端に後端フレーム構成を連結した状態の平面図である。
【図１１】端板係合連結板を介して連結する前端板と前端フレームとの連結構造の説明図である。
【図１２】背中支持寝台板及び足支持寝台板の構成を説明する平面図である。
【図１３】基台部に載設した寝台板支持フレームに背中支持寝台板及び足支持寝台板を載設した状態を説明する平面図である。
【図１４】脛支持部への脛支持部連結アームの取着構造を説明する説明図である。
【図１５】寝台板支持フレームの左右側縁に取着する左右側縁カバーを説明する断面説明図である。
【図１６】基台部や昇降フレームの搬送に用いる肩掛けベルトの説明図である。
【図１７】端板係合連結板を介して連結する前端板と前端フレームとの連結構造の説明図である。
【図１８】端板係合連結板を介して連結する前端板と前端フレームとの連結構造の説明図である。
【符号の説明】
Ａ  寝台部昇降可動ベッド              １  昇降駆動部
２  基台部                            ３  寝台板支持フレーム
3a  昇降フレーム                      3b  前端フレーム
3c  後端フレーム                      ４  背中支持寝台板
５  足支持寝台板                      ６  前端板
７  後端板                            ８  左側縁カバー
９  右側縁カバー                      10  基台部基体
11a 左基台用桟                        11b 右基台用桟
12  中央連結用桟                      17  連結ネジ
13a 左前脚体                          13b 左後脚体
13c 右前脚体                          13d 右後脚体
14a 左前連結縦用桟                    14b 左後連結縦用桟
14c 右前連結縦用桟                    14d 右後連結縦用桟
15  支柱部                            16  底板部
18a 前方回動軸                        18b 後方回動軸
19a 左前方第１連結アーム              19b 左後方第１連結アーム
20a 右前方第１連結アーム              20b 右後方第１連結アーム
21a 左前方第２連結アーム              21b 左後方第２連結アーム
22a 右前方第２連結アーム              22b 右後方第２連結アーム
23a 寝台左前方支持アーム              23b 寝台左後方支持アーム
24a 寝台右前方支持アーム              24b 寝台右後方支持アーム
25a 前方連動連結補助アーム            25b 後方連動連結補助アーム
26  連動連結用ロッド                  27  回動操作アーム
26a 前方ロッド体                      26b 後方ロッド体
26c 連結用雄ネジ体                    39  過回動防止横杆
28  ロッド                            29  電動アクチュエータ
30a 前方起立支持アーム                30b 後方起立支持アーム
31a 左前方支持板                      31b 左後方支持板
32a 右前方支持板                      32b 右後方支持板
33a 連結板                            33b 連結板
34b 枢軸                              34a 枢軸
35a 前方補強横杆                      35b 後方補強横杆
36  枢軸                              37  枢軸
38a 前方枢軸                          38b 後方枢軸
【図１】
0003984071.tif 000002
【図２】
0003984071.tif 000003
【図３】
0003984071.tif 000004
【図４】
0003984071.tif 000005
【図５】
0003984071.tif 000006
【図６】
0003984071.tif 000007
【図７】
0003984071.tif 000008
【図８】
0003984071.tif 000009
【図９】
0003984071.tif 000010
【図１０】
0003984071.tif 000011
【図１１】
0003984071.tif 000012
【図１２】
0003984071.tif 000013
【図１３】
0003984071.tif 000014
【図１４】
0003984071.tif 000015
【図１５】
0003984071.tif 000016
【図１６】
0003984071.tif 000017
【図１７】
0003984071.tif 000018
【図１８】
0003984071.tif 000019